(57)【要約】本願は、ソケット（１１０）に関する。ソケット（１１０）は、ハウジング（２１０）とプラグ（２２０）とを備えていてもよい。ハウジングの少なくとも１つの面には、少なくとも１つのスロットまたは穴が配置されていてもよい。咬持導電片がハウジング内に配置されていていてもよい。少なくとも２つの弾性導電性接点がプラグの表面に配置されていてもよい。弾性導電性接点は、電源に接続されるように構成されていてもよく、プラグはハウジングの外側に配置されてもよいハウジングの背面に接続溝が配置されていてもよい。接続溝内に内側接点が配置されていてもよい。内側接点は咬持導電片に接続されていてもよい。プラグ内にコネクタが配置されていてもよい。コネクタ上に外側接点が配置されていてもよい。外側接点は弾性導電性接点に接続されていてもよい。コネクタは接続溝に差し込まれるように構成されていてもよい。【選択図】図１Ｂ
2018528579.tif 000002
【特許請求の範囲】
【請求項１】
ハウジングと、
プラグと、を備え、
前記ハウジングの少なくとも１つの面に配置される、少なくとも１つのスロットまたは穴と、
前記ハウジング内に配置される咬持導電片と、
前記プラグの表面に配置される少なくとも２つの弾性導電性接点と、を含み、
前記弾性導電性接点は、電源に接続されるように構成され、
前記プラグは前記ハウジングの外に配置される、
ソケット。
【請求項２】
前記ハウジングの背面に配置される接続溝と、
前記接続溝内に配置される内側接点と、
前記プラグ内に配置されるコネクタと、
前記コネクタ上に配置される外側接点と、をさらに含み、
前記内側接点は前記咬持導電片に接続され、前記外側接点は前記弾性導電性接点に接続され、前記コネクタは前記接続溝に差し込まれるように構成される、
請求項１に記載のソケット。
【請求項３】
前記ハウジングの前記背面に退避溝が配置され、
前記コネクタは、前記退避溝に挿入されて前記ハウジングの前記背面に近接するように構成されている、
請求項２に記載のソケット。
【請求項４】
前記プラグの頂部上に配置されるコネクタと、
前記コネクタの背面側端部に配置されるバックプレートと、
前記ハウジングの背面に配置されるスロットと、をさらに含み、
前記コネクタは、前記スロットに差し込まれると、前記バックプレートが前記ハウジング内に、前記プラグが前記ハウジング外に位置するように構成され、
前記弾性導電性接点は前記咬持導電片に接続されるように構成される、
請求項１に記載のソケット。
【請求項５】
前記ハウジングは、前部ハウジングと後部ハウジングとを含み、
前記スロットが前記後部ハウジング上に配置され、
前記後部ハウジングと前記バックプレートとの間にバネが配置される、
請求項４に記載のソケット。
【請求項６】
前記プラグは接続導体片を含み、
前記接続導体片の第１の端部は弾性導電性接点を形成し、
前記接続導体片の第２の端部は前記咬持導電片に接続される、
請求項５に記載のソケット。
【請求項７】
前記弾性導電性接点の表面は、円形状または正方形状に形成されている、
請求項１に記載のソケット。
【請求項８】
前記スロット、前記穴、または前記咬持導電片は、電気機器と置き換え可能であり、
前記電気機器は、ルータ、センサ、アラーム、検出器、カメラ、充電器またはコンバータのうち少なくとも１つを含む、
請求項１に記載のソケット。
【請求項９】
前記ハウジング上に表示灯をさらに含む、請求項１に記載のソケット。
【請求項１０】
前記ソケットは、国際電気標準会議（ＩＥＣ）、英国規格、アメリカ規格、ヨーロッパ規格、南アフリカ規格、アラブ首長国連邦規格、韓国規格、インド規格、ロシア規格、またはオーストラリア規格から選択される国際規格のうち少なくとも１つに準拠する、請求項１に記載のソケット。
【請求項１１】
前記ハウジングがポリ塩化ビニル（ＰＶＣ）でできたものである、
請求項１に記載のソケット。
【請求項１２】
前記プラグがポリアミド６６（ＰＡ６６）と３０％のガラス繊維との混合物でできたものである、
請求項１に記載のソケット。
【請求項１３】
前記弾性導電性接点の断面積が１．０ｍｍ２〜３．０ｍｍ２の範囲内にある、
請求項１に記載のソケット。
【請求項１４】
前記ハウジングが、インテリジェント・チップを内蔵するように構成された空洞を備える、
請求項１に記載のソケット。
【請求項１５】
ソケット、電源タップシステムと、を備え、
前記ソケットは、ハウジングと、プラグとを含み、
前記ハウジングの少なくとも１つの面に少なくとも１つのスロットまたは穴が配置され、
前記ハウジング内に咬持導電片が配置され、
前記プラグの表面に少なくとも２つの弾性導電性接点が配置され、
前記弾性導電性接点は、電源に接続されるように構成され、
前記プラグは前記ハウジングの外に配置され、
前記電源タップシステムは、電源タップを含み、
前記電源タップは少なくとも２つの導体を含み、
前記プラグが前記電源タップに差し込まれるように構成されている場合において、前記導体は前記弾性導電性接点に接続される、
電源コンセントシステム。
【請求項１６】
ストリップ・コネクタをさらに含み、
前記ストリップ・コネクタは、２つ以上のコンセント差込口の間の接続を確立する、
請求項１５に記載の電源コンセントシステム。
【請求項１７】
前記ストリップ・コネクタは、接続ジョイントと、接続インターフェースとを含む、
請求項１６に記載の電源コンセントシステム。
【請求項１８】
前記接続ジョイントは第１の導体を含み、
前記接続インターフェースは前記第１の導体と適合する第２の導体を含む、
請求項１７に記載の電源コンセントシステム。
【請求項１９】
前記第１の導体は導体棒であり、前記第２の導体は導体管であることを特徴とする
請求項１８に記載の電源コンセントシステム。
【請求項２０】
前記接続ジョイントは第１のバックルと、第１のストリップ・コネクタとを含み、
前記第１のバックルと前記第１のストリップ・コネクタとは垂直に接続される、
請求項１７に記載の電源コンセントシステム。
【請求項２１】
前記第１のストリップ・コネクタが第３の導体を介して前記電源タップに接続される、
請求項２０に記載の電源コンセントシステム。
【請求項２２】
前記第３の導体が導体棒である、請求項２１に記載の電源コンセントシステム。
【請求項２３】
前記接続インターフェースは、第２のバックルと、第２のストリップ・コネクタとを含み、
前記第２のストリップ・コネクタは、前記第２のバックルの第１の端部に配置されており、
前記第２のバックルと前記第２のストリップ・コネクタとは垂直に接続される、
請求項１７に記載の電源コンセントシステム。
【請求項２４】
前記第２のストリップ・コネクタの前記第１の端部は、空洞を含み、
前記空洞内に前記電源タップに接続されるように構成された第４の導体が配置されており、
前記第２のストリップ・コネクタが前記空洞を介して前記電源タップに接続される、
請求項２３に記載の電源コンセントシステム。
【請求項２５】
前記第４の導体が導体棒である、
請求項２４に記載の電源コンセントシステム。
【請求項２６】
前記導体棒が、ランタン形のコネクタを備える、
請求項１９、請求項、２２または請求項２５に記載の電源コンセントシステム。
【請求項２７】
前記導体の断面積が５．０ｍｍ２〜７．０ｍｍ２の範囲内にある、
請求項１５記載の電源コンセントシステム。
【発明の詳細な説明】
【技術分野】
【０００１】
［関連出願の相互参照］
本出願は、２０１５年８月１８日に出願された中国特許出願第２０１５１０５１１５４４．９号、２０１５年１２月１６日に出願された中国特許出願第２０１５１０９４７２３３．７号、および２０１６年５月２７日に出願された中国特許出願第２０１６２０４９８０３０．４号の優先権を主張する。上記出願のそれぞれの全内容は、引用することにより本明細書に援用する。
【０００２】
［技術分野］
本開示は電源コンセントシステムに関し、より詳しくはホームオートメーション用の電源コンセントシステムに関する。
【背景技術】
【０００３】
スマートホームアプリケーションおよびスマートホームテクノロジーは、ますます普及している。
【発明の概要】
【発明が解決しようとする課題】
【０００４】
従来の家庭用電気配線システムは、上記のようなアプリケーションを制御し、オートメーション化するのには適していない。例えば従来の電源ソケットは、従来の家庭用配線構造に一般的に取り付けられる。コンセントの近くにないデバイスや機器を駆動するには、延長コードまたは延長ソケットが通常用いられる。しかしながら、追加のコードおよび／またはソケットによって、部屋の見栄えが雑然としたものになるだけでなく、安全上の問題が生じる場合もある。さらに、家の中の共用エリアにさらにソケットを設置しようとすると、複雑な壁内配線が必要となることもある。加えて装飾目的のためにこれらのエリアの位置を予測することは困難な場合がある。
【課題を解決するための手段】
【０００５】
本開示の一態様によれば、本願明細書においてソケットが提供される。ソケットは、ハウジングとプラグとを備えていてもよい。ハウジングの少なくとも１つの面には、少なくとも１つのスロットまたは穴が配置されていてもよい。咬持導電片がハウジング内に配置されていていてもよい。少なくとも２つの弾性導電性接点がプラグの表面に配置されていてもよい。弾性導電性接点は、電源に接続されるように構成されていてもよく、プラグはハウジングの外側に配置されてもよい。
【０００６】
一部の実施形態では、ハウジングの背面に接続溝が配置されていてもよい。接続溝内に内側接点が配置されていてもよい。内側接点は咬持導電片に接続されていてもよい。プラグ内にコネクタが配置されていてもよい。コネクタ上に外側接点が配置されていてもよい。外側接点は弾性導電性接点に接続されていてもよい。コネクタは接続溝に差し込まれるように構成されていてもよい。
【０００７】
一部の実施形態では、ハウジングの背面に退避溝が配置されていてもよい。コネクタは、退避溝に挿入されてハウジングの背面に近接するように構成してもよい。
【０００８】
一部の実施形態では、コネクタは、プラグの頂部上に配置されていてもよい。バックプレートがコネクタの背面側端部に配置されていてもよい。スロットはハウジングの背面に配置されていてもよい。コネクタは、スロットに差し込まれると、バックプレートがハウジング内に、プラグがハウジングの外に位置するように構成されていてもよい。弾性導電性接点は、咬持導電片に接続されるように構成されていてもよい。
【０００９】
一部の実施形態では、ハウジングは、前部ハウジングと後部ハウジングとを含んでいてもよい。スロットが後部ハウジング上に配置されていてもよく、後部ハウジングとバックプレートの間にバネが配置されていてもよい。
【００１０】
一部の実施形態では、プラグは接続導体片を含んでいてもよい。接続導体片の第１の端部は弾性導電性接点を形成していてもよく、接続導体片の第２の端部は咬持導電片に接続されていてもよい。
【００１１】
一部の実施形態では、弾性導電性接点の表面は、円形状または階段状に構成されていてもよい。
【００１２】
一部の実施形態では、スロット若しくは穴のうち少なくとも一方、または咬持導電片は、ルータ、センサ、アラーム、検出器、カメラ、充電器、またはコンバータなどの電気機器で置き換えることができる。
【００１３】
一部の実施形態では、ハウジングは表示灯をさらに含んでもよい。
【００１４】
一部の実施形態では、ソケットは国際電気標準会議（ＩＥＣ）、英国規格、アメリカ規格、ヨーロッパ規格、南アフリカ規格、アラブ首長国連邦規格、韓国規格、インド規格、ロシア規格またはオーストラリア規格などの国際規格から選択される国際規格の少なくとも１つに準拠する。
【００１５】
一部の実施形態では、ハウジングはポリ塩化ビニル（ＰＶＣ）でできたものであってもよい。
【００１６】
一部の実施形態では、プラグはポリアミド６６（ＰＡ６６）と３０％のガラス繊維との混合物でできたものであってもよい。
【００１７】
一部の実施形態では、弾性導電性接点の断面積は、１．０ｍｍ２〜３．０ｍｍ２の範囲内であってもよい。
【００１８】
一部の実施形態では、ハウジングはインテリジェント・チップを内蔵するように構成された空洞を含んでいてもよい。
【００１９】
本開示の一態様によれば、本願明細書においてシステムが提供される。上記システムは、ソケットを備えていてもよい。上記ソケットは、ハウジングとプラグとを含んでもよい。ハウジングの少なくとも１つの面に少なくとも１つのスロットまたは穴が配置されていてもよい。ハウジング内に咬持導電片が配置されていていてもよい。プラグの表面に少なくとも２つの弾性導電性接点が配置されていてもよい。弾性導電性接点は電源に接続されるように構成されていてもよく、プラグはハウジングの外に配置されていてもよい。またシステムは電源タップシステムを備えていてもよい。電源タップは、少なくとも２つの導体を含んでもよい。プラグが電源タップに差し込まれるように構成されている場合において、弾性導電性接点は上記導体に接続されてもよい。
【００２０】
一部の実施形態では、電源タップは、ストリップ・コネクタをさらに含んでもよい。上記ストリップ・コネクタは、２つ以上の電源タップの間の接続を確立していてもよい。
【００２１】
一部の実施形態では、ストリップ・コネクタは、接続ジョイントと、接続インターフェースとを含んでもよい。
【００２２】
一部の実施形態では、接続ジョイントは第１の導体を含んでもよく、接続インターフェースは第１の導体に適合する第２の導体を含んでもよい。
【００２３】
一部の実施形態では、第１の導体は導体棒であってもよく、第２の導体は導体管であってもよい。
【００２４】
一部の実施形態では、接続ジョイントは第１のバックルおよび第１のストリップ・コネクタを含んでもよく、第１のバックルおよび第１のストリップ・コネクタは垂直に接続されていてもよい。
【００２５】
一部の実施形態では、第１のストリップ・コネクタは、第３の導体によって電源タップに接続されていてもよい。
【００２６】
一部の実施形態では、第３の導体は導体棒でもよい。
【００２７】
一部の実施形態では、接続インターフェースは第２のバックルと、第２のストリップ・コネクタとを含んでもよい。第２のストリップ・コネクタは、第２のバックルの第１の端部に配置されていてもよい。また第２のバックルと、第２のストリップ・コネクタの第２の端部とは垂直に接続されていてもよい。
【００２８】
一部の実施形態では、第２のストリップ・コネクタの第１の端部は空洞を含んでもよい。空洞内に電源タップに接続されるように構成される第４の導体が配置されていてもよい。第２のストリップ・コネクタは空洞を介して電源タップに接続されていてもよい。
【００２９】
一部の実施形態では、第４の導体は導体棒でもよい。
【００３０】
一部の実施形態では、導体棒はランタン形のコネクタを含んでいてもよい。
【００３１】
一部の実施形態では、導体の断面積は５．０ｍｍ２〜７．０ｍｍ２の範囲内にあってもよい。
【００３２】
本開示の主題は、開示される主題についての以下の詳細な説明を参照しつつ、添付の図面と関連づけながら検討することにより、より充分に理解することができる。関連の開示が十分に理解されるように、例示的な実施の形態および具体例を述べる。但し、これらは発明を限定する目的で記載されるものでない。図面において、同様の参照番号が付されたものは同様の要素を示している。
【図面の簡単な説明】
【００３３】
【図１Ａ】本開示の実施の形態の一部に係る電源コンセントシステムの例を示す図である。
【図１Ｂ】本開示の実施の形態の一部に係る電源コンセントシステムの例を示す図である。
【図２】本開示の実施の形態の一部に係る電源コンセントシステムのソケット・モジュールの例を示す図である。
【図３Ａ】本開示の実施の形態の一部に係るソケットの一例の斜視図である。
【図３Ｂ】本開示の実施の形態の一部に係るソケットの一例の部分分解組立図である。
【図３Ｃ】本開示の実施の形態の一部に係るソケットの一例の斜視図である。
【図４Ａ】本開示の実施の形態の一部に係るソケットの一例の斜視図である。
【図４Ｂ】本開示の実施の形態の一部に係るソケット一例の正面図である。
【図４Ｃ】本開示の実施の形態の一部に係るソケットの一例の側面図である。
【図５】本開示の実施の形態の一部に係るソケットの一例の正面図である。
【図６Ａ】本開示の実施の形態の一部に係るソケットの、ハウジングの一例の側面図である。
【図６Ｂ】本開示の実施の形態の一部に係るソケット内の、プラグの一例の正面図である。
【図６Ｃ】本開示の実施の形態の一部に係るソケットの、プラグの一例の側面図である。
【図６Ｄ】本開示の実施の形態の一部に係る、機能している状態におけるソケットの一例の側面図である。
【図６Ｅ】本開示の実施の形態の一部に係る、機能していない状態におけるソケットの一例の側面図である。
【図７Ａ】本開示の実施の形態の一部に係るソケットの一例の部分分解組立図である。
【図７Ｂ】本開示の実施の形態の一部に係る後部ハウジングの一例を示す図である。
【図７Ｃ】本開示の実施の形態の一部に係るソケット内部のプラグの一例の図である。
【図７Ｄ】本開示の実施の形態の一部に係る機能していない状態におけるソケットの一例の図である。
【図７Ｅ】本開示の実施の形態の一部に係る機能している状態におけるソケットの一例の図である。
【図８Ａ】本開示の実施の形態の一部に係る湾曲面を有する弾性導電性接点の一例の図である。
【図８Ｂ】本開示の実施の形態の一部に係る階段状の表面を有する弾性導電性接点の一例の図である。
【図９Ａ】本開示の実施の形態の一部に係る機能していない状態における電源タップの一例の平面図である。
【図９Ｂ】本開示の実施の形態の一部に係る電源タップの一例の部分分解組立図である。
【図１０Ａ】本開示の実施の形態の一部に係る電源コンセントシステムの一例の正面図である。
【図１０Ｂ】本開示の実施の形態の一部に係る電源コンセントシステムの一例の側面図である。
【図１１Ａ】本開示の実施の形態の一部に係るソケットの一例の側面図である。
【図１１Ｂ】本開示の実施の形態の一部に係る電源コンセントシステムの一例の側面図である。
【図１２】本開示の実施の形態の一部に係る電源タップの一例の図である。
【図１３Ａ】本開示の実施の形態の一部に係る接続ジョイントの一例の平面図である。
【図１３Ｂ】本開示の実施の形態の一部に係る接続インターフェースの一例の平面図である。
【図１４】本開示の実施の形態の一部に係る適用例における電源タップシステムの一例の図である。
【図１５】本開示の実施の形態の一部に係る適用例におけるリニアタイプ電源タップシステムの一例の図である。
【図１６Ａ】本開示の実施の形態の一部に係る入隅用電源タップシステムの図である。
【図１６Ｂ】本開示の実施の形態の一部に係る出隅用電源タップシステムの図である。
【発明を実施するための形態】
【００３４】
以下の詳細な説明において、多数の具体的で詳細な説明は、関連の開示内容が充分に理解されるようにするための単なる例示として示すものである。しかしながら、当業者であれば、本開示の内容が様々な代替の実施形態や代替の応用によって実行できることは明らかであろう。他に特段の明示がない限り、同一の参照番号は同じ要素や操作を示す。
【００３５】
本開示において、他に特段の明示がない限り、単数形の形態は複数形をも含む。一般に本開示において「備える」および「含む」という用語が使用される場合、それらの用語はステップや要素の存在を特定するものである。但し、他の１以上のステップや要素が存在したりや追加されたりすることを排除するものではない。
【００３６】
本開示において、「システム」、「モジュール」、「ユニット」および／または「構成部品（構成要素）」という用語は、構造の間の階層関係を示すために用いるが、絶対的な意味を有するものではない。これらの用語は各々を互いに置き換えてもよく、必要であれば他の用語によって置き換えられても良いことはさらに理解されるであろう。
【００３７】
図１Ａは本開示の実施の形態の一部に係る電源コンセントシステム１００の一例を示す図である。電源コンセントシステム１００は１つ以上のソケット・モジュール１１０と、１つ以上の電源タップシステム１２０とを備えていてもよい。一部の実施形態では、電源タップシステム１２０は電源タップを含んでもよい。一部の実施形態では、電源タップシステム１２０は１つ以上の電源タップおよび１つ以上のストリップ・コネクタを含んでもよい。ストリップ・コネクタは、様々な用途を提供するのに好適な、どのような態様でも配置されていてもよい。例えば２つの電源タップは、直線状ストリップ・コネクタにより接続されていてもよい。別の例として、２つの電源タップが直角コネクタ（例えば入隅用ストリップ・コネクタまたは出隅用ストリップ・コネクタ）により接続されていてもよい。一部の実施形態では、２つの電源タップが「Π」形のストリップ・コネクタにより接続されていてもよい。
【００３８】
電源タップシステム１２０は電源に接続されていてもよい。ソケット・モジュール１１０は電源タップシステム１２０に接続されて、電気の供給を受けるようにしてもよい。電源タップシステム１２０は、特定の物体（例えば、部屋の壁の縁や天井、または部屋の壁の他の位置）の表面上に設置されていてもよい。電源タップシステム１２０は、特定の対象物（例えば家や電気器具など）の内部、または壁の内部に設置することもできる。この場合、電源タップシステム１２０は、ソケット・モジュール１１０を接続するための接続用インターフェースが露出していてもよい。電源タップは、家の中、または事務用家具（例えばオフィス用デスク）の上に設置することもできる。一部の実施形態では、複数の固定ソケットは、電源タップシステム１２０の電源タップ上に配設されていてもよい。固定ソケットは、特定の電気器具用に構成されていてもよい。例えば、通常、定位置に備え付けられる冷蔵庫、エアコン、湯沸器その他の電気器具は、電源タップシステム１２０の電源タップの決められたソケットに直接接続（例えば電気的に接続）することができる。
【００３９】
電源タップは、１つ以上のソケット・モジュール１１０に接続（例えば電気的に接続）することができる。一部の実施形態では、ソケット・モジュール１１０はソケット（スイッチソケットとも呼ばれる）を含んでいてもよい。電気器具のプラグは、ソケットに差し込まれ、それにより電気の供給を受けることができる。一部の実施形態では、ソケット・モジュール１１０は他の電気機器（例えばルータ、センサ、アラーム、検出器、カメラ、充電器、コンバータなど、またはそれらの組み合わせ）と置き換えることができる。
【００４０】
電源タップシステム１２０は、二つ以上の導体を含むことができる。一部の実施形態では、上記導体はそれぞれ、導線（例えば活線、接地線、または中性線）そのものであるか、かつ／または導線を含むことができる。ソケット・モジュール１１０および電源タップシステム１２０は電源タップシステム１２０の導体によって電気的に接続することができる。一部の実施形態では、ソケット・モジュール１１０は、電源タップシステム１２０の活線および中性線に接続（例えば電気的に接続）されていてもよい。一部の実施形態では、ソケット・モジュール１１０は、電源タップシステム１２０の活線、接地線、および中性線に接続（例えば電気的に接続）されていてもよい。
【００４１】
一部の実施形態では、ソケット・モジュール１１０はプラグ２２０を含んでもよい。電源タップシステム１２０の電源タップは１つ以上のスロットまたは穴を含んでもよい。ソケット・モジュール１１０のプラグを電源タップシステム１２０の差込溝に差し込むことにより、電気の供給を受けることができる。一部の実施形態では、差込溝の深さはソケット・モジュール１１０のプラグ２２０の挿入奥行より大きくなくてもよい。プラグ２２０の挿入奥行は、差込溝の頂点と、差込溝に差し込まれるプラグ２２０の端部との間の距離でもよい。一部の実施形態では、差込溝の深さはプラグ２２０の挿入奥行と同じであってもよい。一部の実施形態では、差込溝の深さはプラグ２２０の挿入奥行より小さくてもよい。
【００４２】
電源タップシステム１２０は活線と中性線とを含んでもよい。一部の実施形態では、活線および中性線は差込溝の同じ面に配置されていてもよい。一部の実施形態では、活線および中性線は差込溝の異なる面に配置されていてもよい。一部の実施形態では、活線および中性線のうち一方は差込溝のある面に配置されていてもよく、他方は差込溝の底部に配置されていてもよい。
【００４３】
電源タップシステム１２０は活線、接地線、および中性線を含んでもよい。一部の実施形態では、活線、接地線、および中性線は差込溝の同じ面に配置されていてもよい。一部の実施形態では、活線、接地線、および中性線は差込溝の異なる面に配置されていてもよい。例えば、活線および中性線が差込溝のある面に配置されていてもよく、接地線が差込溝の他の面に配置されていてもよい。実施形態の一部においては、活線が差込溝のある面に配置されていてもよく、中性線は差込溝の他の面に配置されていてもよく、接地線が差込溝の底部に配置されていてもよい。
【００４４】
上述の活線、接地線、および中性線の位置は単に例示として示したものに過ぎず、これらの例に制限されないことは理解されるべきである。多数の他の変更、置換、バリエーション、代替、および改変は、活線、接地線、および中性線の構成規則を理解した後、当業者に確かめられてもよい。本開示は、添付の請求の範囲の範囲内に属する上記のような変更、置換、バリエーション、代替、および改変すべて包含することを意図している。
【００４５】
図１Ｂは本開示の実施の形態の一部に係る、電源タップシステム１２０に接続されたソケット・モジュール１１０の一例の斜視図である。図１Ｂは、略正方形のソケット・モジュール１１０を示す。一部の実施形態では、ソケット・モジュール１１０は円形、三角形、四角形、五角形、六角形、正方形などのいずれの形状であってもよい。一部の実施形態では、ソケット・モジュール１１０はソケット・コアを含んでもよい。一部の実施形態では、ソケット・コアは交換可能であってもよい。ソケット・コアは円形、三角形、四角形、五角形、六角形などのいずれの形状であってもよい。図１Ｂは、単に例示として示したものに過ぎず、制限的でないことは理解されるべきである。一部の実施形態では、ソケット・モジュール１１０は電源タップシステム１２０の１つ以上の定位置、または定位置でない位置に差し込まれてもよい。上記位置のソケット・モジュール１１０は電源に接続することができ、電源タップを通じて電気の供給を受けることができる。電源タップシステム１２０はソケット・モジュール１１０が差し込まれるどのような数（例えば１、２、３、４など）の位置（ポジション）を含んでもよい。上記位置（ポジション）は、均一な間隔をおいて配置されていてもよく、または均一な間隔をおいて配置されていなくてもよい。
【００４６】
一部の実施形態では、ソケット・モジュール１１０は電源タップに沿って摺動することができない。あるいは、ソケット・モジュール１１０は電源タップに沿って摺動することができる。一部の実施形態では、ソケット・モジュール１１０は電源タップに沿って摺動するときに、電源タップを通じて常時電源に接続することができる。一部の実施形態では、ソケット・モジュール１１０は特定の位置に摺動するまで電源タップを通じて電源に接続することができる。電源タップシステム１２０は、電源と接続されるどのような数（例えば１、２、３、４など）の位置（ポジション）を含んでもよい。上記位置（ポジション）は、均一な間隔をおいて配置されていてもよく、または不均一な間隔をおいて配置されていてもよい。
【００４７】
一部の実施形態では、ソケット・モジュール１１０は１つ以上の表示部（インジケータ）を含んでもよい。表示部は、それぞれ、１つ以上の発光ダイオード（ＬＥＤ）灯などの、ソケット・モジュール１１０の１つ以上のステータスを示すために使用できる表示灯を含んでもよい。ソケット・モジュール１１０が電源タップシステム１２０に電気的に接続されているときに１つ以上の表示部を作動させてソケット・モジュール１１０が通電されていることを示してもよい。ソケット・モジュール１１０が電源タップシステム１２０に接続されていないか、または接続がうまく行われていない場合に、ソケット・モジュール１１０の表示部を作動させないことでソケット・モジュール１１０が通電されていないことを示してもよい。一部の実施形態では、ソケット・モジュール１１０または電源タップは、インテリジェント・チップを含んでもよい。
【００４８】
図２は、本開示の実施の形態の一部に係る、電源コンセントシステム１００のソケット・モジュール１１０の一例を示す図である。ソケット・モジュール１１０は、ハウジング２１０と、プラグ２２０とを備えていてもよい。一部の実施形態では、プラグ２２０とハウジング２１０とは別々の部品でもよい。実施形態の一部においては、プラグ２２０の１つ以上の部分がハウジング２１０に配置されていてもよい。
【００４９】
ハウジング２１０は、ソケット・コア２１１と、咬持導電片２１２と、表示灯２１３と、前部ハウジング２１４と、後部ハウジング２１５とを備えていてもよい。ソケット・コア２１１は、ハウジング２１０の少なくとも１つの面に配置されていてもよい。前部ハウジング２１４および／または後部ハウジング２１５は、例えばポリ塩化ビニル（ＰＶＣ）、耐弾丸性ゴムとも呼ばれるポリ塩化ビニル（ＰＣ）、ポリアミド６６（ＰＡ６６）、ＰＡ６６と３０％ガラス繊維との混合物などの好適な材料を使用して製造することができる。前部ハウジング２１４および後部ハウジング２１５は、同一の材料でできたものであってもよく、異なる材料でできたものであってもよい。前部ハウジング２１４および後部ハウジング２１５の色は、同一でもよく、異なっていてもよい。
【００５０】
ハウジング２１０の寸法（例えば厚み、長さ、幅など）は、どのような好適な寸法であってもよい。一部の実施形態では、ハウジング２１０の厚みは、１ｍｍ〜１００．０ｍｍであってもよい。一部の実施形態では、ハウジング２１０の厚みは１ｍｍ〜１０．０ｍｍ、１０．１ｍｍ〜２０．０ｍｍ、２０．１ｍｍ〜３０．０ｍｍ、３０．１ｍｍ〜４０．０ｍｍ、４０．１ｍｍ〜５０．０ｍｍ、５０．１ｍｍ〜６０．０ｍｍ、６０．１ｍｍ〜７０．０ｍｍ、７０．１ｍｍ〜８０．０ｍｍ、８０．１ｍｍ〜９０．０ｍｍ、９０．１ｍｍ〜１００．０ｍｍなどであってもよい。一部の実施形態では、ハウジング２１０の厚みは２４ｍｍであってもよい。ソケットハウジングは、例えばＰＣ  ６５５５（ドイツ、バイエル社製）などの好適な材料を用いて製造することができる。実験での引張速度が５０ｍｍ／分であるとき、降伏応力は６５ＭＰａであってもよく、降伏ひずみは６．０％であってもよい。
【００５１】
咬持導電片２１２は、例えば銅、真鍮、リン青銅、ベリリウム銅、紫銅、赤銅、銅合金、銅−カドミウム合金、銅−ニッケル合金、スズ−銅合金などのいずれかの好適な導電性物質から作られるものであってもよい。
【００５２】
咬持導電片２１２の厚みは、０．１ｍｍ〜１０．０ｍｍであってもよい。一部の実施形態では、咬持導電片２１２の厚みは、０．１ｍｍ〜１．０ｍｍ、１．１ｍｍ〜２．０ｍｍ、２．１ｍｍ〜３．０ｍｍ、３．１ｍｍ〜４．０ｍｍ、４．１ｍｍ〜５．０ｍｍ、５．１ｍｍ〜６．０ｍｍ、６．１ｍｍ〜７．０ｍｍ、７．１ｍｍ〜８．０ｍｍ、８．１ｍｍ〜９．０ｍｍ、または９．１ｍｍ〜１０．０ｍｍなどであってもよい。一部の実施形態では、咬持導電片２１２の厚みは、０．６ｍｍであってもよい。各咬持導電片２１２の厚みは同一であってもよく、異なっていてもよい。
【００５３】
咬持導電片２１２の断面積は、０．１ｍｍ２〜１００．０ｍｍ２であってもよい。一部の実施形態では、咬持導電片２１２の断面積は、０．１ｍｍ２〜１．０ｍｍ２、１．１ｍｍ２〜２．０ｍｍ２、２．１ｍｍ２〜３．０ｍｍ２、３．１ｍｍ２〜４．０ｍｍ２、４．１ｍｍ２〜５．０ｍｍ２、５．１ｍｍ２〜６．０ｍｍ２、６．１ｍｍ２〜７．０ｍｍ２、７．１ｍｍ２〜８．０ｍｍ２、８．１ｍｍ２〜９．０ｍｍ２、９．１ｍｍ２〜１０．０ｍｍ２、１０．１ｍｍ２〜２０．０ｍｍ２、２０．１ｍｍ２〜２０．０ｍｍ２、２０．１ｍｍ２〜３０．０ｍｍ２、３０．１ｍｍ２〜４０．０ｍｍ２、４０．１ｍｍ２〜５０．０ｍｍ２、５０．１ｍｍ２〜６０．０ｍｍ２、６０．１ｍｍ２〜７０．０ｍｍ２、７０．１ｍｍ２〜８０．０ｍｍ２、８０．１ｍｍ２〜９０．０ｍｍ２、または９０．１ｍｍ２〜１００．０ｍｍ２などであってもよい。一部の実施形態では、咬持導電片２１２の断面積は２ｍｍ２より大きくてもよい。各咬持導電片２１２の断面積は同一であってもよく、異なっていてもよい。
【００５４】
電気器具の単一のプラグ２２０に対する咬持導電片２１２の咬持力（ｃｌａｍｐｉｎｇ  ｆｏｒｃｅ）は０Ｎ〜１００Ｎであってもよい。一部の実施形態では、電気器具の単一のプラグ２２０に対する咬持導電片２１２の咬持力は、０．１Ｎ〜１．０Ｎ、１．１Ｎ〜２．０Ｎ、２．１Ｎ〜３．０Ｎ、３．１Ｎ〜４．０Ｎ、４．１Ｎ〜５．０Ｎ、５．１Ｎ〜６．０Ｎ、６．１Ｎ〜７．０Ｎ、７．１Ｎ〜８．０Ｎ、８．１Ｎ〜９．０Ｎ、９．１Ｎ〜１０．０Ｎ、１０．１Ｎ〜２０．０Ｎ、２０．１Ｎ〜３０．０Ｎ、３０．１Ｎ〜４０．０Ｎ、４０．１Ｎ〜５０．０Ｎ、５０．１Ｎ〜６０．０Ｎ、６０．１Ｎ〜７０．０Ｎ、７０．１Ｎ〜８０．０Ｎ、８０．１Ｎ〜９０．０Ｎ、または９０．１Ｎ〜１００．０Ｎなどであってもよい。一部の実施形態では、電気器具の単一のプラグに対する咬持導電片２１２の咬持力は７Ｎより大きく、１５０Ｎより小さくてもよい。電気器具の単一のプラグ２２０に対する各咬持導電片２１２の咬持力は、同一であってもよく、異なっていてもよい。
【００５５】
ソケット・コア２１１は１つ以上の電源プラグと適合する１つ以上のスロットおよび／または穴を含んでもよい。スロットおよび／または穴は、国際電気標準会議（ＩＥＣ）、英国規格、アメリカ規格、ヨーロッパ規格、南アフリカ規格、アラブ首長国連邦規格、韓国規格、インド規格、ロシア規格、オーストラリア規格、またはその組み合わせなどの、国内および／または国際規格の少なくとも１つに準拠していてもよい。一部の実施形態では、ソケット・コア２１１は２つ以上のスロットおよび／または穴を含んでもよい。一部の実施形態では、ソケット・コア２１１は１つ以上のＵＳＢポートを含んでもよい。一部の実施形態では、ソケット・コア２１１はスロットおよびＵＳＢポートを含んでもよい。スロットおよびＵＳＢポートは、どのような態様で配置されていてもよい。ソケット・コア２１１は好適な任意の数のスロットおよび／またはＵＳＢポートを含んでもよい。上記数および位置は、通常のソケットのスロットの数および位置と同一でもよく、異なっていてもよい。
【００５６】
一部の実施形態では、ソケット・コア２１１は交換可能でない。ソケット・コア２１１のスロットおよび／または穴、およびソケット・モジュール１１０の前部ハウジング２１４は、ソケット・モジュールの一体的な部分を形成してもよい。一部の実施形態では、ソケット・コア２１１は交換可能である。例えば２つのスロットおよび／または穴を有するソケット・コアは３つのスロットおよび／または穴を有するソケット・コアと置き換えることができる。咬持導電片２１２は、ソケット・コア２１１内に配置されていてもよい。ソケット・コア２１１が交換されるときに咬持導電片２１２を置き換えることが可能である。一部の実施形態では、咬持導電片２１２およびソケット・コア２１１は、独立型（スタンドアロン型）のパーツとして実施することができる。咬持導電片２１２は、ソケット・コア２１１が交換されるときにハウジング２１０内に残っていてもよい。一部の実施形態では、ソケット・コア２１１は、他の電気機器、例えばルータ、センサ、アラーム、検出器、カメラ、充電器、コンバータ等、またはいずれかのそれらの組み合わせと置き換えることが可能である。
【００５７】
ソケット・モジュール１１０内の咬持導電片２１２はスロットおよび／またはソケット・コア２１１の穴に対応してもよい。例えばプラグのピンがスロットおよび／または穴を通じてソケット・モジュール１１０に挿入されるときに電気器具のプラグが咬持導電片２１２に接続されてもよい。プラグ２２０の導電性接続片２２１は咬持導電片２１２に接続（例えば電気的に接続）されていてもよい。導電性接続片２２１は例えば銅、真鍮、リン青銅、ベリリウム銅、紫銅、赤銅、銅合金、銅−カドミウム合金、銅−ニッケル合金、スズ−銅合金などの好適な導電性物質でできたものであってもよい。一部の実施形態では、導電性接続片２２１は咬持導電片に直接電気的に接続されていてもよい。一部の実施形態では、導電性接続片２２１は、導体（図面には示していない）を通して咬持導電片２１２に電気的に接続されていてもよい。上記導体は、例えば銅、真鍮、リン青銅、ベリリウム銅、紫銅、赤銅、銅合金、銅−カドミウム合金、銅−ニッケル合金、スズ−銅合金などの好適な導電性物質でできたものであってもよい。
【００５８】
一部の実施形態では、ソケット・モジュール１１０は１つ以上の表示灯２１３を含んでいてもよい。ソケット・モジュール１１０はどのような数（例えば１、２、３、４など）の表示灯を有していてもよい。表示灯２１３はどのような態様で配列および／または配置されていてもよい。一部の実施形態では、表示灯２１３は（図３Ａに示すように）ソケット・コア２１１の周りに配置されていてもよい。一部の実施形態では、表示灯２１３はハウジング２１０の周りに配置されていてもよい。一部の実施形態では、表示灯２１３は前部ハウジング２１４上（例えば前面、左側面、右側面、頂面、底面など、またはそれらの組み合わせ）に配置されていてもよい。一部の実施形態では、表示灯２１３は前部ハウジング２１４の１つの端部又は１つの角部に配置されていてもよい。表示灯２１３は、例えば赤、黄、青、緑、紫、白、またはそれらの組み合わせなどの、どのような色で構成されていてもよい。表示灯２１３は、例えば円形、三角形、四角形、五角形、六角形など、またはそれらの組み合わせなどのどのような形状で構成されていてもよい。一部の実施形態では、ソケット・モジュール１１０が電源タップシステム１２０に接続されたときに表示灯２１３を点灯させてもよい。一部の実施形態では、ソケット・モジュール１１０が電源タップに差し込まれたときに、表示灯２１３はある特定の時間点灯した後消灯してもよい。表示灯２１３は、例えば１時間以上、１時間、１時間未満などのどのような時間点灯させてもよい。一部の実施形態では、表示灯２１３は１秒〜５９秒、１分〜１０分、１１分〜２０分、２１分〜３０分、３１分〜４０分、４１分〜５０分、５１分〜６０分などの間点灯させてもよい。一部の実施形態では、ソケット・モジュール１１０が電源タップシステム１２０に接続されたときに、表示灯２１３は特定の周波数でピカッと光ってもよい。一部の実施形態では、表示灯２１３は特定の時間ピカッと光った後、光るのを止めてもよい。一部の実施形態では、表示灯２１３は、特定の期間の経過後、光り始めてもよい。
【００５９】
プラグ２２０は、導電性接続片２２１およびコネクタ２２３を含んでもよい。導電性接続片２２１はプラグ２２０の表面上に、プラグ２２０内に、または他のいずれかの好適な態様で配置されていてもよい。プラグ２２０の一以上の部分（例えば導電性接続片２２１以外の部分など）は例えばＰＶＣ、ＰＣ、ＰＡ６６、ＰＡ６６と３０％ガラス繊維との混合物などの好適な絶縁材料でできたものであってもよい。前部ハウジング２１４および／または後部ハウジング２１５は、例えばＰＶＣ、ＰＣ、ＰＡ６６、ＰＡ６６と３０％ガラス繊維との混合物などの好適な材料を用いて製造されてもよい。プラグ２２０の一以上の部分（例えば導電性接続片以外の部分など）は前部ハウジング２１４および／または後部ハウジング２１５と同じ材料でできたものであってもよく、異なる材料でできたものであってもよい。一部の実施形態では、プラグ２２０の一以上の部分（例えば導電性接続片２２１以外の部分など）はＰＡ６６と３０％ガラス繊維との混合物でできたものであってもよい。前部ハウジング２１４および／または後部ハウジング２１５は、例えばＰＶＣなどの好適な材料を用いて製造されてもよい。前部ハウジング２１４および後部ハウジング２１５は、同一の色により構成されていてもよく、異なる色により構成されていてもよい。
【００６０】
導電性接続片２２１は例えば銅、真鍮、リン青銅、ベリリウム銅、紫銅、赤銅、銅合金、銅−カドミウム合金、銅−ニッケル合金、スズ−銅合金などの好適な導電性物質でできたものであってもよい。プラグ２２０は例えば±１°、±２°、±３°、±４°、±５°などの角度に折り曲げることができる。プラグ２２０は例えば±１°、±２°、±３°、±４°、±５°などの角度にねじることができる。
【００６１】
導電性接続片２２１の断面積は０．１ｍｍ２〜１００．０ｍｍ２であってもよい。一部の実施形態では、導電性接続片２２１の断面積は０．１ｍｍ２〜１．０ｍｍ２、１．１ｍｍ２〜２．０ｍｍ２、２．１ｍｍ２〜３．０ｍｍ２、３．１ｍｍ２〜４．０ｍｍ２、４．１ｍｍ２〜５．０ｍｍ２、５．１ｍｍ２〜６．０ｍｍ２、６．１ｍｍ２〜７．０ｍｍ２、７．１ｍｍ２〜８．０ｍｍ２、８．１ｍｍ２〜９．０ｍｍ２、９．１ｍｍ２〜１０．０ｍｍ２、１０．１ｍｍ２〜２０．０ｍｍ２、２０．１ｍｍ２〜３０．０ｍｍ２、３０．１ｍｍ２〜４０．０ｍｍ２、４０．１ｍｍ２〜５０．０ｍｍ２、５０．１ｍｍ２〜６０．０ｍｍ２、６０．１ｍｍ２〜７０．０ｍｍ２、７０．１ｍｍ２〜８０．０ｍｍ２、８０．１ｍｍ２〜９０．０ｍｍ２、または９０．１ｍｍ２〜１００．０ｍｍ２などであってもよい。一部の実施形態では、導電性接続片２２１の断面積は２．６ｍｍ２であってもよい。各導電性接続片２２１の断面積は同一であってもよく、異なっていてもよい。
【００６２】
一部の実施形態では、導電性接続片２２１は、１つ以上の弾性導電性接点２２２を含んでもよい。ソケット・モジュール１１０が電気を導通できるように、プラグ２２０は弾性導電性接点２２２を通じて電源タップに接続されていてもよい。弾性導電性接点２２２は、電源タップ内の導体の位置に対応するように配列および／または配置されていてもよい。一部の実施形態では、導電性接続片２２１は複数の弾性導電性接点２２２を含んでいてもよい。例えば導電性接続片２２１は、２つの弾性導電性接点２２２を含んでいてもよい。弾性導電性接点はそれぞれ活線および中性線に接続されていてもよい。２つの弾性導電性接点２２２はプラグ２２０の同じ面に配置されていてもよく、異なる面に配置されていてもよい。プラグ２２０の同じ面にある弾性導電性接点２２２は異なる位置（例えば異なる高さ）に配置されていてもよい。一部の実施形態では、活線と、電源タップシステム１２０に差し込まれるプラグ２２０との間の距離は、中性線とプラグ２２０との間の距離よりも短くてもよい。一部の実施形態では、２つの弾性導電性接点２２２のうちの１つは、プラグ２２０の底部に配置されていてもよい。
【００６３】
別の例として、導電性接続片２２１は３つの弾性導電性接点２２２を含んでもよい。上記弾性導電性接点２２２は、それぞれ、活線、中性線、および接地線に接続されていてもよい。３つの弾性導電性接点２２２はプラグ２２０の同じ面に配置されていてもよく、異なる面に配置されていてもよい。一部の実施形態では、上記弾性導電性接点のうちの１つはプラグ２２０の底部に配置されていてもよい。他の接点はプラグ２２０の底部に配置されていてもよく、配置されていなくてもよい。
【００６４】
別の例として、導電性接続片２２１は６つの弾性導電性接点２２２を含んでいてもよい。上記弾性導電性接点のうち３つはプラグ２２０の同じ面に配置されていてもよく、他の接点はプラグ２２０の別の面に配置されていてもよい。一部の実施形態では、上記弾性導電性接点のうちの少なくとも１つは、プラグ２２０の底部に配置されていてもよい。一部の実施形態では、プラグ２２０の２つの側は機能的に等価であってもよい。例えば、壁に備え付けられた電源タップシステム１２０にプラグ２２０のいずれかの側が差し込まれるとき、ソケット・モジュール１１０は電気を導通する。一部の実施形態では、プラグ２２０の２つの側は、機能的に等価でなくてもよい。例えば、壁に備え付けられた電源タップシステム１２０にプラグ２２０のある特定の側が差し込まれるときにのみ、ソケット・モジュール１１０は電気を導通する。
【００６５】
プラグ２２０の密度は０．１ｇ／ｃｍ３〜１００．０ｇ／ｃｍ３でもよい。一部の実施形態では、プラグ２２０の密度は０．１ｇ／ｃｍ３〜１．０ｇ／ｃｍ３、１．１ｇ／ｃｍ３〜２．０ｇ／ｃｍ３、２．１ｇ／ｃｍ３〜３．０ｇ／ｃｍ３、３．１ｇ／ｃｍ３〜４．０ｇ／ｃｍ３、４．１ｇ／ｃｍ３〜５．０ｇ／ｃｍ３、５．１ｇ／ｃｍ３〜６．０ｇ／ｃｍ３、６．１ｇ／ｃｍ３〜７．０ｇ／ｃｍ３、７．１ｇ／ｃｍ３〜８．０ｇ／ｃｍ３、８．１ｇ／ｃｍ３〜９．０ｇ／ｃｍ３、９．１ｇ／ｃｍ３〜１０．０ｇ／ｃｍ３、１０．１ｇ／ｃｍ３〜２０．０ｇ／ｃｍ３、２０．１ｇ／ｃｍ３〜３０．０ｇ／ｃｍ３、３０．１ｇ／ｃｍ３〜４０．０ｇ／ｃｍ３、４０．１ｇ／ｃｍ３〜５０．０ｇ／ｃｍ３、５０．１ｇ／ｃｍ３〜６０．０ｇ／ｃｍ３、６０．１ｇ／ｃｍ３〜７０．０ｇ／ｃｍ３、７０．１ｇ／ｃｍ３〜８０．０ｇ／ｃｍ３、８０．１ｇ／ｃｍ３〜９０．０ｇ／ｃｍ３、または９０．１ｇ／ｃｍ３〜１００．０ｇ／ｃｍ３などであってもよい。一部の実施形態では、プラグ２２０の密度は１．４８ｇ／ｃｍ３であってもよい。各プラグ２２０の密度は同一であってもよく、異なっていてもよい。
【００６６】
プラグ２２０の引張強さは１００．１ＭＰａ〜２００．０ＭＰａであってもよい。一部の実施形態では、プラグ２２０の引張強さは、１００．１ＭＰａ〜１０１ＭＰａ、１０１．１ＭＰａ〜１０２．０ＭＰａ、１０２．１ＭＰａ〜１０３．０ＭＰａ、１０３．１ＭＰａ〜１０４．０ＭＰａ、１０４．１ＭＰａ〜１０５．０ＭＰａ、１０５．１ＭＰａ〜１０６．０ＭＰａ、１０６．１ＭＰａ〜１０７．０ＭＰａ、１０７．１ＭＰａ〜１０８．０ＭＰａ、１０８．１ＭＰａ〜１０９．０ＭＰａ、１０９．１ＭＰａ〜１１０．０ＭＰａ、１１０．１ＭＰａ〜１２０．０ＭＰａ、１２０．１ＭＰａ〜１３０．０ＭＰａ、１３０．１ＭＰａ〜１４０．０ＭＰａ、１４０．１ＭＰａ〜１５０．０ＭＰａ、１５０．１ＭＰａ〜１６０．０ＭＰａ、１６０．１ＭＰａ〜１７０．０ＭＰａ、１７０．１ＭＰａ〜１８０．０ＭＰａ、１８０．１ＭＰａ〜１９０．０ＭＰａ、または１９０．１ＭＰａ〜２００．０ＭＰａなどであってもよい。一部の実施形態では、プラグ２２０の引張強さは１４５ＭＰａであってもよい。各プラグ２２０の引張強さは同一であってもよく、異なっていてもよい。
【００６７】
プラグ２２０の破断時伸び率は１％〜１００％であってもよい。一部の実施形態では、プラグ２２０の破断時伸び率は０．１％〜１．０％、１．１％〜２．０％、２．１％〜３．０％、３．１％〜４．０％、４．１％〜５．０％、５．１％〜６．０％、６．１％〜７．０％、７．１％〜８．０％、８．１％〜９．０％、９．１％〜１０．０％、１０．１％〜２０．０％、２０．１％〜３０．０％、３０．１％〜４０．０％、４０．１％〜５０．０％、５０．１％〜６０．０％、６０．１％〜７０．０％、７０．１％〜８０．０％、８０．１％〜９０．０％、または９０．１％〜１００．０％などであってもよい。一部の実施形態では、プラグ２２０の破断時伸び率は２％であってもよい。各プラグ２２０の破断時伸び率は同一であってもよく、異なっていてもよい。
【００６８】
プラグ２２０の曲げ強度は１５０．１ＭＰａ〜２５０．０ＭＰａであってもよい。一部の実施形態では、プラグ２２０の曲げ強度は１５０．１ＭＰａ〜１５１ＭＰａ、１５１．１ＭＰａ〜１５２．０ＭＰａ、１５２．１ＭＰａ〜１５３．０ＭＰａ、１５３．１ＭＰａ〜１５４．０ＭＰａ、１５４．１ＭＰａ〜１５５．０ＭＰａ、１５５．１ＭＰａ〜１５６．０ＭＰａ、１５６．１ＭＰａ〜１５７．０ＭＰａ、１５７．１ＭＰａ〜１５８．０ＭＰａ、１５８．１ＭＰａ〜１５９．０ＭＰａ、１５９．１ＭＰａ〜１６０．０ＭＰａ、１６０．１ＭＰａ〜１７０．０ＭＰａ、１７０．１ＭＰａ〜１８０．０ＭＰａ、１８０．１ＭＰａ〜１９０．０ＭＰａ、１９０．１ＭＰａ〜２００．０ＭＰａ、２００．１ＭＰａ〜２１０．０ＭＰａ、２１０．１ＭＰａ〜２２０．０ＭＰａ、２２０．１ＭＰａ〜２３０．０ＭＰａ、２３０．１ＭＰａ〜２４０．０ＭＰａ、または２４０．１ＭＰａ〜２５０．０ＭＰａなどであってもよい。一部の実施形態では、プラグ２２０の曲げ強度は２００ＭＰａであってもよい。各プラグ２２０の曲げ強さは同一であってもよく、異なっていてもよい。
【００６９】
プラグ２２０のノッチ付きアイゾッド衝撃強さは０．１ｋＪ／ｍ２〜１００．０ｋＪ／ｍ２であってもよい。一部の実施形態では、プラグ２２０のノッチ付きアイゾッド衝撃強さは０．１ｋＪ／ｍ２〜１．０ｋＪ／ｍ２、１．１ｋＪ／ｍ２〜２．０ｋＪ／ｍ２、２．１ｋＪ／ｍ２〜３．０ｋＪ／ｍ２、３．１ｋＪ／ｍ２〜４．０ｋＪ／ｍ２、４．１ｋＪ／ｍ２〜５．０ｋＪ／ｍ２、５．１ｋＪ／ｍ２〜６．０ｋＪ／ｍ２、６．１ｋＪ／ｍ２〜７．０ｋＪ／ｍ２、７．１ｋＪ／ｍ２〜８．０ｋＪ／ｍ２、８．１ｋＪ／ｍ２〜９．０ｋＪ／ｍ２、９．１ｋＪ／ｍ２〜１０．０ｋＪ／ｍ２、１０．１ｋＪ／ｍ２〜２０．０ｋＪ／ｍ２、２０．１ｋＪ／ｍ２〜３０．０ｋＪ／ｍ２、３０．１ｋＪ／ｍ２〜４０．０ｋＪ／ｍ２、４０．１ｋＪ／ｍ２〜５０．０ｋＪ／ｍ２、５０．１ｋＪ／ｍ２〜６０．０ｋＪ／ｍ２、６０．１ｋＪ／ｍ２〜７０．０ｋＪ／ｍ２、７０．１ｋＪ／ｍ２〜８０．０ｋＪ／ｍ２、８０．１ｋＪ／ｍ２〜９０．０ｋＪ／ｍ２、または９０．１ｋＪ／ｍ２〜１００．０ｋＪ／ｍ２などであってもよい。一部の実施形態では、プラグ２２０のノッチ付きアイゾッド衝撃強さは１２ｋＪ／ｍ２であってもよい。各プラグ２２０のノッチ付きアイゾッド衝撃強さは同一であってもよく、異なっていてもよい。
【００７０】
プラグ２２０のロックウェル硬さは１００．１〜２００．０であってもよい。一部の実施形態では、プラグ２２０のロックウェル硬さは１００．１〜１０１、１０１．１〜１０２．０、１０２．１〜１０３．０、１０３．１〜１０４．０、１０４．１〜１０５．０、１０５．１〜１０６．０、１０６．１〜１０７．０、１０７．１〜１０８．０、１０８．１〜１０９．０、１０９．１〜１１０．０、１１０．１〜１２０．０、１２０．１〜１３０．０、１３０．１〜１４０．０、１４０．１〜１５０．０、１５０．１〜１６０．０、１６０．１〜１７０．０、１７０．１〜１８０．０、１８０．１〜１９０．０、または１９０．１〜２００．０などであってもよい。一部の実施形態では、プラグ２２０のロックウェル硬さは１２０であってもよい。各プラグ２２０のロックウェル硬さは同一であってもよく、異なっていてもよい。
【００７１】
プラグ２２０の融点は２５０．１℃〜３５０．０℃であってもよい。一部の実施形態では、プラグ２２０の融点は２５０．１℃〜２５１℃、２５１．１℃〜２５２．０℃、２５２．１℃〜２５３．０℃、２５３．１℃〜２５４．０℃、２５４．１℃〜２５５．０℃、２５５．１℃〜２５６．０℃、２５６．１℃〜２５７．０℃、２５７．１℃〜２５８．０℃、２５８．１℃〜２５９．０℃、２５９．１℃〜２６０．０℃、２６０．１℃〜２７０．０℃、２７０．１℃〜２８０．０℃、２８０．１℃〜２９０．０℃、２９０．１℃〜３００．０℃、３００．１℃〜３１０．０℃、３１０．１℃〜３２０．０℃、３２０．１℃〜３３０．０℃、３３０．１℃〜３４０．０℃、または３４０．１℃〜３５０．０℃などであってもよい。一部の実施形態では、プラグ２２０の融点は２５５℃であってもよい。プラグ２２０ごとに、その融点は同一であってもよく、異なっていてもよい。
【００７２】
プラグ２２０の熱変形温度は２００．１℃〜３００．０℃であってもよい。一部の実施形態では、プラグ２２０の熱的変形温度は２００．１℃〜２０１℃、２０１．１℃〜２０２．０℃、２０２．１℃〜２０３．０℃、２０３．１℃〜２０４．０℃、２０４．１℃〜２０５．０℃、２０５．１℃〜２０６．０℃、２０６．１℃〜２０７．０℃、２０７．１℃〜２０８．０℃、２０８．１℃〜２０９．０℃、２０９．１℃〜２１０．０℃、２１０．１℃〜２２０．０℃、２２０．１℃〜２３０．０℃、２３０．１℃〜２４０．０℃、２４０．１℃〜２５０．０℃、２５０．１℃〜２６０．０℃、２６０．１℃〜２７０．０℃、２７０．１℃〜２８０．０℃、２８０．１℃〜２９０．０℃、又は２９０．１℃〜３００．０℃などであってもよい。一部の実施形態では、プラグ２２０の熱変形温度は２５０℃であってもよい。各プラグ２２０の熱変形温度は同一であってもよく、異なっていてもよい。一部の実施形態では、ＵＬ−９４標準に従ったプラグ２２０の耐炎性はＶ０、Ｖ１、またはＶ２である。プラグ２２０の耐炎性は、好ましくはＶ０である。
【００７３】
プラグ２２０の表面抵抗率は１０００Ω〜１１００Ωであってもよい。一部の実施形態では、プラグ２２０の表面抵抗率は１０００．１Ω〜１００１Ω、１００１．１Ω〜１００２．０Ω、１００２．１Ω〜１００３．０Ω、１００３．１Ω〜１００４．０Ω、１００４．１Ω〜１００５．０Ω、１００５．１Ω〜１００６．０Ω、１００６．１Ω〜１００７．０Ω、１００７．１Ω〜１００８．０Ω、１００８．１Ω〜１００９．０Ω、１００９．１Ω〜１０１０．０Ω、１０１０．１Ω〜１０２０．０Ω、１０２０．１Ω〜１０３０．０Ω、１０３０．１Ω〜１０４０．０Ω、１０４０．１Ω〜１０５０．０Ω、１０５０．１Ω〜１０６０．０Ω、１０６０．１Ω〜１０７０．０Ω、１０７０．１Ω〜１０８０．０Ω、１０８０．１Ω〜１０９０．０Ω、または１０９０．１Ω〜１１００．０Ωなどであってもよい。一部の実施形態では、プラグ２２０の表面抵抗率は１０１４Ωであってもよい。各プラグ２２０の表面抵抗率は同一であってもよく、異なっていてもよい。
【００７４】
プラグ２２０の成形収縮率は１％〜１００％であってもよい。一部の実施形態では、プラグ２２０の成形収縮率は０．１％〜１．０％、１．１％〜２．０％、２．１％〜３．０％、３．１％〜４．０％、４．１％〜５．０％、５．１％〜６．０％、６．１％〜７．０％、７．１％〜８．０％、８．１％〜９．０％、９．１％〜１０．０％、１０．１％〜２０．０％、２０．１％〜３０．０％、３０．１％〜４０．０％、４０．１％〜５０．０％、５０．１％〜６０．０％、６０．１％〜７０．０％、７０．１％〜８０．０％、８０．１％〜９０．０％、または９０．１％〜１００．０％などであってもよい。一部の実施形態では、プラグ２２０の成形収縮率は０．２％〜０．６％であってもよい。プラグ２２０ごとに、その成形収縮率は同一であってもよく、異なっていてもよい。
【００７５】
プラグ２２０の飽和収着性（ｓａｔｕｒａｔｅｄ  ｓｏｒｐｔｉｖｉｔｙ）は１％〜１００％であってもよい。一部の実施形態では、プラグ２２０の飽和収着性は０．１％〜１．０％、１．１％〜２．０％、２．１％〜３．０％、３．１％〜４．０％、４．１％〜５．０％、５．１％〜６．０％、６．１％〜７．０％、７．１％〜８．０％、８．１％〜９．０％、９．１％〜１０．０％、１０．１％〜２０．０％、２０．１％〜３０．０％、３０．１％〜４０．０％、４０．１％〜５０．０％、５０．１％〜６０．０％、６０．１％〜７０．０％、７０．１％〜８０．０％、８０．１％〜９０．０％、または９０．１％〜１００．０％などであってもよい。一部の実施形態では、プラグ２２０の飽和収着性は６％であってもよい。各プラグの飽和収着性は同一であってもよく、異なっていてもよい。
【００７６】
プラグ２２０を電源タップに差し込むのに必要な力、または電源タップからプラグ２２０を引き抜くのに必要な力は０〜１００Ｎでもよい。一部の実施形態では、プラグ２２０を電源タップに差し込むのに必要な力、または電源タップからプラグ２２０を引き抜くのに必要な力は０．１Ｎ〜１．０Ｎ、１．１Ｎ〜２．０Ｎ、２．１Ｎ〜３．０Ｎ、３．１Ｎ〜４．０Ｎ、４．１Ｎ〜５．０Ｎ、５．１Ｎ〜６．０Ｎ、６．１Ｎ〜７．０Ｎ、７．１Ｎ〜８．０Ｎ、８．１Ｎ〜９．０Ｎ、９．１Ｎ〜１０．０Ｎ、１０．１Ｎ〜２０．０Ｎ、２０．１Ｎ〜３０．０Ｎ、３０．１Ｎ〜４０．０Ｎ、４０．１Ｎ〜５０．０Ｎ、５０．１Ｎ〜６０．０Ｎ、６０．１Ｎ〜７０．０Ｎ、７０．１Ｎ〜８０．０Ｎ、８０．１Ｎ〜９０．０Ｎ、または９０．１Ｎ〜１００．０Ｎなどであってもよい。一部の実施形態では、プラグ２２０を電源タップに差し込むのに必要な力、または電源タップからプラグ２２０を引き抜くのに必要な力は５２Ｎでもよい。一部の実施形態では、プラグ２２０を電源タップに差し込むのに必要な力、または電源タップからプラグ２２０を引き抜くのに必要な力は２７Ｎよりも大きく、６４Ｎよりも小さくてもよい。一部の実施形態では、各プラグ２２０の、プラグ２２０を電源タップに差し込むのに必要な力、または電源タップからプラグ２２０を引き抜くのに必要な力は同じであってもよく、異なっていてもよい。
【００７７】
弾性導電性接点２２２は、どのようなタイプの表面を有していてもよい。例えば弾性導電性接点２２２は、一部の実施形態では、湾曲した表面（例えば図８Ａで示す表面）を有していてもよい。別の例として、弾性導電性接点２２２は、一部の実施形態では、階段状の表面（例えば図８Ｂで示す表面）を有していてもよい。
【００７８】
弾性導電性接点２２２の断面積は０．１ｍｍ２〜１００．０ｍｍ２であってもよい。一部の実施形態では、弾性導電性接点２２２の断面積は０．１ｍｍ２〜１．０ｍｍ２、１．１ｍｍ２〜２．０ｍｍ２、２．１ｍｍ２〜３．０ｍｍ２、３．１ｍｍ２〜４．０ｍｍ２、４．１ｍｍ２〜５．０ｍｍ２、５．１ｍｍ２〜６．０ｍｍ２、６．１ｍｍ２〜７．０ｍｍ２、７．１ｍｍ２〜８．０ｍｍ２、８．１ｍｍ２〜９．０ｍｍ２、９．１ｍｍ２〜１０．０ｍｍ２、１０．１ｍｍ２〜２０．０ｍｍ２、２０．１ｍｍ２〜３０．０ｍｍ２、３０．１ｍｍ２〜４０．０ｍｍ２、４０．１ｍｍ２〜５０．０ｍｍ２、５０．１ｍｍ２〜６０．０ｍｍ２、６０．１ｍｍ２〜７０．０ｍｍ２、７０．１ｍｍ２〜８０．０ｍｍ２、８０．１ｍｍ２〜９０．０ｍｍ２、または９０．１ｍｍ２〜１００．０ｍｍ２などであってもよい。一部の実施形態では、弾性導電性接点２２２の断面積は２ｍｍ２であってもよい。各弾性導電性接点２２２の断面積は同一であってもよく、異なっていてもよい。
【００７９】
弾性導電性接点２２２の安全に使用できる最大許容電流は０〜１００Ａであってもよい。一部の実施形態では、弾性導電性接点２２２の安全に使用できる最大許容電流は０．１Ａ〜１．０Ａ、１．１Ａ〜２．０Ａ、２．１Ａ〜３．０Ａ、３．１Ａ〜４．０Ａ、４．１Ａ〜５．０Ａ、５．１Ａ〜６．０Ａ、６．１Ａ〜７．０Ａ、７．１Ａ〜８．０Ａ、８．１Ａ〜９．０Ａ、９．１Ａ〜１０．０Ａ、１０．１Ａ〜２０．０Ａ、２０．１Ａ〜３０．０Ａ、３０．１Ａ〜４０．０Ａ、４０．１Ａ〜５０．０Ａ、５０．１Ａ〜６０．０Ａ、６０．１Ａ〜７０．０Ａ、７０．１Ａ〜８０．０Ａ、８０．１Ａ〜９０．０Ａ、または９０．１Ａ〜１００．０Ａなどであってもよい。一部の実施形態では、弾性導電性接点２２２の安全に使用できる最大許容電流は１６Ａであってもよい。各弾性導電性接点２２２の安全に使用できる最大許容電流は同一であってもよく、異なっていてもよい。
【００８０】
弾性導電性接点２２２の安全に使用できる最大許容電圧は０〜１００００Ａであってもよい。一部の実施形態では、弾性導電性接点２２２の安全に使用できる最大許容電圧は１０Ｖ〜１００Ｖ、１１０Ｖ〜２００Ｖ、２１０Ｖ〜３００Ｖ、３１０Ｖ〜４００Ｖ、４１０Ｖ〜５００Ｖ、５１０Ｖ〜６００Ｖ、６１０Ｖ〜７００Ｖ、７１０Ｖ〜８００Ｖ、８１０Ｖ〜９００Ｖ、９１０Ｖ〜１０００Ｖ、１０１０Ｖ〜２０００Ｖ、２０１０Ｖ〜３０００Ｖ、３０１０Ｖ〜４０００Ｖ、４０１０Ｖ〜５０００Ｖ、５０１０Ｖ〜６０００Ｖ、６０１０Ｖ〜７０００Ｖ、７０１０Ｖ〜８０００Ｖ、８０１０Ｖ〜９０００Ｖ、または９０１０Ｖ〜１０００Ｖなどであってもよい。一部の実施形態では、弾性導電性接点２２２の安全に使用できる最大許容電圧は３５００Ａであってもよい。各弾性導電性接点２２２の安全に使用できる最大許容電圧は同一であってもよく、異なっていてもよい。
【００８１】
プラグ２２０上に露出された弾性導電性接点２２２の高さは０．１ｍｍ〜１０．０ｍｍであってもよい。一部の実施形態では、弾性導電性接点２２２の、プラグ２２０上に露出される部分の高さは０．１ｍｍ〜１．０ｍｍ、１．１ｍｍ〜２．０ｍｍ、２．１ｍｍ〜３．０ｍｍ、３．１ｍｍ〜４．０ｍｍ、４．１ｍｍ〜５．０ｍｍ、５．１ｍｍ〜６．０ｍｍ、６．１ｍｍ〜７．０ｍｍ、７．１ｍｍ〜８．０ｍｍ、８．１ｍｍ〜９．０ｍｍ、または９．１ｍｍ〜１０．０ｍｍなどであってもよい。一部の実施形態では、弾性導電性接点２２２の、プラグ２２０上に露出される部分の高さは０．６ｍｍであってもよい。各弾性導電性接点２２２の、プラグ２２０上に露出される部分の高さは同一であってもよく、異なっていてもよい。
【００８２】
一部の実施形態では、コネクタ２２３は、プラグ２２０とハウジング２１０との間の接続を確立してもよい。一部の実施形態では、プラグ２２０とハウジング２１０とは、一体化された、および／または分離不能な部分を形成してもよい。一部の実施形態では、プラグ２２０とハウジング２１０とは分離可能であってもよい。一部の実施形態では、プラグ２２０がハウジング２１０に接続（例えば電気的に接続）されたとき、プラグ２２０の導電性接続片２２１がハウジング２１０の咬持導電片に接続（例えば電気的に接続）されてもよい。実施形態の一部においては、後に図７Ａ〜７Ｅに関連づけてさらに詳細に議論するように、ハウジング２１０はバネを備えていてもよい。
【００８３】
なおソケット・モジュール１１０に関する上記説明は例示の目的で示したものに過ぎず、制限的でないことには留意されたい。多数の他の変更、置換、バリエーション、代替、および改変は、ソケット・モジュールの構造を理解した後、当業者に確かめられてもよいことは理解することができる。例えば一部の実施形態では、表示灯２１３は、プラグ２２０上に配置されていてもよい。一部の実施形態では、ソケット・モジュールは他の構成部品を含んでもよい。本開示は、添付の請求の範囲の範囲内に属する上記のような変更、置換、バリエーション、代替、および改変をすべて包含することを意図している。
【００８４】
図３Ａおよび３Ｂは本開示の実施の形態の一部に係るソケット・モジュールの例を示す図である。図３Ａはソケットの一例の斜視図である。図３Ｂはソケットの一例の部分分解組立図である。ソケット・モジュール１１０は、ハウジング２１０とプラグ２２０とを含んでもよい。図３Ａおよび図３Ｂのハウジング２１０の形状は例示を目的として示すものであり、本願は、図示され、記載された実施の形態のみに限定されない。ハウジング２１０は、前部ハウジング２１４と、後部ハウジング２１５とを含んでもよい。前部ハウジング２１４は、その前面に、プラグ２２０に接続されるように構成された円形のソケット・コア２１１を含んでもよい。一部の実施形態では、ソケット・コア２１１は交換可能でなくてもよい。一部の実施形態では、ソケット・コア２１１は交換可能であってもよい。例えば図３Ａおよび３Ｂに示される円形のソケット・コア２１１は、複数のスロットおよび／または穴（例えば２つのスロットおよび／または穴、３つのスロットおよび／または穴など）を備えるソケット・コアによってと置き換えられてもよい。
【００８５】
上記スロットおよび／または穴は国際電気標準会議（ＩＥＣ）、英国規格、アメリカ規格、ヨーロッパ規格、南アフリカ規格、アラブ首長国連邦規格、韓国規格、インド規格、ロシア規格、オーストラリア規格、またはその組み合わせなどの、国内および／または国際規格の少なくとも１つに準拠していてもよい。ソケット・コア２１１は咬持導電片２１２を備えていてもよい。一部の実施形態では、ソケット・コア２１１の前面は、前部ハウジングの前面と同じ高さであってもよい。一部の実施形態では、ソケット・コア２１１の前面は、前部ハウジングの前面から突出していてもよく、あるいは前部ハウジングの前面から内側に凹んでいてもよい。
【００８６】
１つ以上のブロック３１０がソケット・コア２１１の周囲に配置されていてもよい。１つ以上のスロット３２０は、表示灯２１３の周囲に配置されていてもよい。ソケット・コア２１１は、ブロック３１０を通じてスロット３２０にはめ込むことにより、表示灯２１３に接続（例えば電気的に接続）されてもよい。一部の実施形態では、表示灯２１３は表示灯ホルダ上に配置されていてもよい。スロット３２０は表示灯ホルダ上に配置されていてもよい。スロットとブロックとによって達成される接続は例示を目的として示すものであり、本願は、図示され、記載された実施の形態のみに限定されない。ソケット・モジュール１１０は、好適な任意の数のブロック３１０を含んでもよい。ブロック３１０の数は奇数であってもよく、偶数であってもよい。ブロック３１０は、どのような好適な態様で配置されていてもよい。ブロック３１０は対称または非対称に配列されていてもよい。ブロック３１０は規則的な形状に形成されていてもよく、不規則な形状に形成されていてもよい。規則的な形状には直方体、球体、プリズム、プリズム、筒状、円錐形などが含まれる。スロット３２０の数、配列、および形状はブロック３１０の数、配列、および形状に対応していてもよい。
【００８７】
ハウジング２１０は表示灯２１３を含んでもよい。表示灯２１３は導体を含んでもよい。一部の実施形態では、表示灯２１３は上記導体を通じて導電性接続片２２１に接続されてもよい。プラグ２２０が電源タップに接続されると、導電性接続片は咬持導電片に接続され、表示灯２１３が点灯する。表示灯２１３は、図３Ａおよび３Ｂに示すように円形であってもよい。一部の実施形態では、表示灯２１３は例えば三角形、四角形、五角形、六角形、または他の規則的な形状、または他の不規則な形状などのどのような形状に形成されていてもよい。ハウジング２１０は、どのような数（例えば１、２、３、４など）の表示灯を有していてもよい。表示灯２１３はどのような好適な態様で配置されていてもよい。一部の実施形態では、表示灯２１３はハウジングの前面、左側面、右側面、頂面、底面の上など、またはそれらの組み合わせに配置されていてもよい。表示灯２１３は例えば赤、黄、青、緑、紫、白、またはそれらの組み合わせなどの、どのような色で構成されていてもよい。
【００８８】
一部の実施形態では、ソケット・モジュール１１０が電源タップに接続（例えば電気的に接続）されているときに表示灯２１３を常時点灯させてもよい。一部の実施形態では、ソケット・モジュール１１０が電源タップに接続（例えば電気的に接続）されているときに、表示灯２１３をある特定の時間点灯した後消灯してもよい。表示灯２１３は例えば１時間以上、１時間、１時間未満などのどのような時間点灯させてもよい。一部の実施形態では、表示灯２１３を、１秒〜５９秒、１分〜１０分、１１分〜２０分、２１分〜３０分、３１分〜４０分、４１分〜５０分、５１分〜６０分などの間点灯してもよい。一部の実施形態では、ソケット・モジュール１１０が電源タップ１２０に接続（例えば電気的に接続）されたときに、表示灯２１３は特定の周波数でピカッと光ってもよい。一部の実施形態では、表示灯２１３は特定の時間ピカッと光った後、光るのを止めてもよい。一部の実施形態では、表示灯２１３は特定の期間の経過後、光り始めてもよい。
【００８９】
ハウジング２１０は、引掛溝３３０を備えていてもよい。引掛溝３３０は前部ハウジング２１４と後部ハウジング２１５とを固定するように構成することができる。ハウジング２１０はどのような好適な数（例えば１、２、３、４など）の引掛溝を有していてもよい。引掛溝３３０の数は奇数であってもよく、偶数であってもよい。引掛溝３３０はどのような好適な態様で配置されていてもよい。引掛溝３３０は対称または非対称に配列されていてもよい。プラグ２２０は後部ハウジング２１５の背面に配置されていてもよい。プラグ２２０のコネクタ２３３は引掛溝３３０を通じてハウジング２１０にはめ込まれていてもよい。導電性接続片２２１はプラグ２２０内に配置されていてもよい。導電性接続片２２１は弾性導電性接点２２２をプラグ２２０の表面の上に形成してもよい。弾性導電性接点２２２は電源タップに接続されるように構成されてもよい。
【００９０】
図３Ｂに示されるプラグ２２０は、コネクタ２２３と、垂直部とを含んでもよい。コネクタ２２３の垂直部と、ハウジング２１０の前端または後端との間の距離、すなわちコネクタ２２３の長さは、便宜上以下に示す説明におけるｄとして表される。プラグ２２０の垂直部と、ハウジング２１０の左端または右端との間の距離は、コネクタ２２３の幅として表される。プラグ２２０の垂直部と、ハウジング２１０の左端または右端との間の距離は、上記垂直部の幅として表される。
【００９１】
一部の実施形態では、（図４Ａ〜４Ｃに示すように）プラグ２２０の垂直部の高さはハウジング２１０から離れる側のコネクタ２２３の端部の高さと同じであってもよい。一部の実施形態では（図３Ａおよび図３Ｂに示すように）プラグ２２０の垂直部と、ハウジング２１０から離れる側のコネクタ２２３の端部との間に間隔があってもよい。上記間隔は、ｄより小さい限りどのような間隔であってもよく、例えばｄ／１０、２ｄ／１０、３ｄ／１０、４ｄ／１０、５ｄ／１０、６ｄ／１０、７ｄ／１０、８ｄ／１０、９ｄ／１０などであってもよい。一部の実施形態では、コネクタ２２３の幅は上記垂直部の幅と同じであってもよく、異なっていてもよい。垂直部に対するコネクタ２３３の相対的高さは可変であってもよい。一部の実施形態では、（図３Ａおよび図３Ｂに示すように）コネクタ２２３は、垂直部より上に配置されていてもよい。一部の実施形態では、（図７Ａ〜図７Ｅに示すように）コネクタ２２３は垂直部の下方に配置されていてもよい。一部の実施形態では、コネクタ２２３は垂直部と平行に配置されていてもよい。
【００９２】
一部の実施形態では、プラグ２２０および垂直部は分離不能な部分を形成してもよい。一部の実施形態では、プラグ２２０および垂直部は独立型の（スタンドアロン型の）パーツとして実施することができる。一部の実施形態では、コネクタ２２３と垂直部との間の角度は、０度〜１８０度の間のどのような角度であってもよく、例えば０度〜３０度、３０度〜６０度、６０度〜９０度、９０度〜１２０度、１２０度〜１５０度、１５０度〜１８０度などであってもよい。一部の実施形態では、コネクタ２３３と垂直部とは互いに垂直であってもよい。一部の実施形態では、コネクタ２３３と垂直部との間の角度は固定されていてもよい。一部の実施形態では、コネクタ２３３と垂直部との間の角度は可変的でもよい。一部の実施形態では、プラグ２２０のコネクタ２３３と、ハウジング２１０との間の角度が固定されていてもよい。一部の実施形態では、プラグ２２０のコネクタ２３３とハウジング２１０との間の角度は可変的でもよい。
【００９３】
なおソケット・モジュール１１０に関する上述の構造は例示の目的で示したものに過ぎず、本開示はこれらの実施の形態に制限されないことには留意されたい。ソケット・モジュール１１０の多数の他の変更、置換、バリエーション、代替、および改変は、ソケット・モジュールの構造を理解した後、当業者に確かめられてもよいことは理解することができる。例えば一部の実施形態では、ハウジング２１０および／またはソケット・コア２１１は規則的な形状、または他の不規則な形状を含むどのような形状に形成されていてもよい。上記規則的な形状には円形、三角形、四辺形、五角形、六角形などが含まれる。一部の実施形態では、ソケット・コア２１１は交換可能であってもよい。図３Ａおよび図３Ｂに示すように、ソケット・コア２１１は３つのスロットおよび／または穴を含んでもよい。図３Ｃに示すように、ソケット・コア２１１は、５つのスロットおよび／または穴を含んでもよい。一部の実施形態では、ソケット・コア２１１はルータ、センサ、アラーム、検出器、カメラ、充電器、コンバータ等の他の電気機器に置き換えることが可能である。本開示は、添付の請求の範囲の範囲内に属する上記のような変更、置換、バリエーション、代替、および改変すべて包含することを意図している。図３Ｃのソケット・モジュールの内部構造は図３Ａおよび図３Ｂ（ここでは説明せず）のソケット・モジュールの内部構造と同様である。
【００９４】
図４Ａ〜図４Ｃには方形のソケット・コアおよび方形のハウジングを含むソケット・モジュールの例が示されている。図４Ａにはソケットの一例の斜視図が示されている。図４Ｂにはソケット・モジュールの一例の正面図が示されている。図４Ｃにはソケットの一例の側面図が示されている。図４Ａおよび図４Ｃに示されるように、ソケット・コア２１１の前面は前部ハウジングの前面から突出していてもよい。なお本開示は上で述べた実施の形態に限定されない点には留意されたい。一部の実施形態では、ソケット・コア２１１の前面は、前部ハウジングの前面と同じ高さであってもよく、あるいは前部ハウジングの前面から内側に凹んでいてもよい。なおハウジング２１０およびソケット・コア２１１の形状は例示として示したものであり、本開示は上で述べた実施の形態に限定されない点には留意されたい。一部の実施形態では、ハウジング２１０は表示灯を含んでいない。一部の実施形態では、ハウジング２１０は表示灯を含んでもよい。表示灯についての関連の説明は、本開示の他の部分の説明と同様であってもよくて、本明細書において記載されていないものであってもよい。
【００９５】
一部の実施形態では、ソケット・コア２１１と、ハウジング２１０とは一体化された部分を形成してもよい。一部の実施形態では、ソケット・コア２１１は交換可能であってもよい。例えば２つのスロットおよび／または穴を有するソケット・コアは３つのスロットおよび／または穴を有するソケット・コアによって置き換えられてもよい。一部の実施形態では、ソケット・コア２１１は例えばルータ、センサ、アラーム、検出器、カメラ、充電器、コンバータ等の他の電気機器と置き換えることが可能である。そのような変更、置換、バリエーション、代替、および改変は、添付の特許請求の範囲の範囲内に属する。プラグ２２０とハウジング２１０とは、図６Ａ〜図６Ｅに示される態様、または図７Ａ〜７Ｅに示される態様によって接続されてもよい。
【００９６】
図５は、方形のハウジングを備えるソケット・モジュールの一例の正面図を示す。図５に示すように、１つ以上のスロットまたは穴がハウジング２１０上に配置されていてもよい。一部の実施形態では、ソケット・モジュールは交換可能なソケット・コアを含まない。ソケット・モジュールは表示灯を含んでもよいし含んでいなくてもよい。表示灯を備えるソケット・モジュールについての説明は、本開示の他の部分の説明と同様であってもよくて、本明細書において記載されていないものであってもよい。
【００９７】
図６Ａ〜図６Ｅは、本開示の実施の形態の一部に係るプラグ２２０とハウジング２１０との間の接続の一例を示す図である。図６Ａはハウジング２１０の側面図を示す。図６Ｂはプラグ２２０の正面図を示す。図６Ｃはプラグ２２０の側面図を示す。ハウジング２１０は、接続溝６１０、内側接点６１１、および退避溝６２０を備えていてもよい。接続溝６１０および退避溝６２０は、ハウジング２１０の背面に配置されていてもよい。内側接点６１１は接続溝６１０内に配置されていてもよい。内側接点６１１は咬持導電片２１２に接続されていてもよい。コネクタ２２３はプラグ２２０の頂部に配置されていてもよい。外側接点６３０はコネクタ２２３上に配置されていてもよい。外側接点６３０は弾性導電性接点２２２に接続（例えば電気的に接続）されていてもよい。プラグ２２０のコネクタ２２３が接続溝６１０に差し込まれたとき、プラグ２２０はハウジング２１０の背面に吊るされていてもよく、プラグ２２０と、プラグ２２０のためのハウジング２１０との間に、電気の供給を得るための空間があってもよい。プラグ２２０のコネクタ２２３が接続溝６１０に差し込まれたとき、図６Ｄに示すように、内側接点６１１がプラグ２２０の外側接点６３０に接続（例えば電気的に接続）されていてもよい、すなわちプラグ２２０が機能している状態（機能状態）であってもよい。接続溝６１０およびコネクタ２２３は、互いに適合するどのような寸法またはどのような形状に構成されていてもよい。接続溝６１０およびコネクタ２２３の寸法および／または形状は、図面に示すものに限定されない。接続溝６１０は、ハウジング２１０上にどのような好適な態様で配置されていてもよい。一部の実施形態では、接続溝６１０は、ハウジング２１０の背面側の上部に配置されていてもよい。一部の実施形態では、接続溝６１０はハウジング２１０の背面側の中間部に配置されていてもよい。一部の実施形態では、接続溝６１０はハウジング２１０の背面側の底部に位置していてもよい。
【００９８】
図６Ｅに示すように、プラグ２２０のコネクタ２２３が接続溝６１０に差し込まれたとき、プラグ２２０がハウジング２１０の背面に近接していてもよい、すなわち、プラグが退避した状態であってもよい。退避溝６２０はハウジング２１０上にどのような好適な態様で配置されていてもよい。一部の実施形態では、退避溝６２０はハウジング２１０の背面側の上部に配置されていてもよい。一部の実施形態では、退避溝６２０はハウジング２１０の背面側の中央部に配置されていてもよい。一部の実施形態では、退避溝６２０はハウジング２１０の背面側の底部に配置されていてもよい。
【００９９】
ハウジング２１０の内側接点６１１の数、プラグ２２０の外側接点６３０の数、および／または弾性導電性接点の数は、ソケットのスロットおよび／または穴の数と対応していてもよい。例えば２つの弾性導電性接点、２つの内側接点、および２つの外側接点は、２つのスロットおよび／または穴を有するソケットに対して実用できる。例えば３つの弾性導電性接点、３つの内側接点、および３つの外側接点は、３つのスロットおよび／または穴を有するソケットに対して実用できる。少なくとも２つの弾性導電性接点がプラグ２２０に配置されていてもよい。一部の実施形態では、弾性導電性接点は、プラグ２２０の異なる側に配置されていてもよい。例えば弾性導電性接点は、プラグ２２０の前面および背面上に、または、プラグ２２０の左側面および右側面上に配置されていてもよい。一部の実施形態では、少なくとも１つの弾性導電性接点がプラグ２２０の底部に配置されていてもよい。弾性導電性接点の数が２であるときに、２つの弾性導電性接点が、活線および中性線に接続（例えば電気的に接続）されるように構成することができる。弾性導電性接点の数が３であるときに、３つの弾性導電性接点が、活線、中性線、接地線にそれぞれ電気的に接続されるように構成することができる。一部の実施形態では、３つの弾性導電性接点は異なる位置（例えば異なる高さ）に配置されていてもよい。例えば活線に接続（例えば電気的に接続）されるように構成された弾性導電性接点はプラグ２２０の差込端に最も近くてもよい。
【０１００】
弾性導電性接点２２２はどのようなタイプの表面を有していてもよい。例えば弾性導電性接点２２２は、一部の実施形態では、湾曲した表面（例えば図８Ａで示す表面）を有していてもよい。弾性導電性接点が湾曲した表面を有する一部の実施形態では、電源タップの対応する導体が接触部分として構成されていてもよい。別の例として、弾性導電性接点２２２は、一部の実施形態では、階段状の表面（例えば図８Ｂで示す表面）を有していてもよい。弾性導電性接点が階段状の表面を有するときに、電源タップの対応する導体は筒状に構成されていてもよい。弾性導電性接点２２２の断面積は０．１ｍｍ２〜１００．０ｍｍ２であってもよい。一部の実施形態では、弾性導電性接点２２２の断面積は０．１ｍｍ２〜１．０ｍｍ２、１．１ｍｍ２〜２．０ｍｍ２、２．１ｍｍ２〜３．０ｍｍ２、３．１ｍｍ２〜４．０ｍｍ２、４．１ｍｍ２〜５．０ｍｍ２、５．１ｍｍ２〜６．０ｍｍ２、６．１ｍｍ２〜７．０ｍｍ２、７．１ｍｍ２〜８．０ｍｍ２、８．１ｍｍ２〜９．０ｍｍ２、９．１ｍｍ２〜１０．０ｍｍ２、１０．１ｍｍ２〜２０．０ｍｍ２、２０．１ｍｍ２〜３０．０ｍｍ２、３０．１ｍｍ２〜４０．０ｍｍ２、４０．１ｍｍ２〜５０．０ｍｍ２、５０．１ｍｍ２〜６０．０ｍｍ２、６０．１ｍｍ２〜７０．０ｍｍ２、７０．１ｍｍ２〜８０．０ｍｍ２、８０．１ｍｍ２〜９０．０ｍｍ２、または９０．１ｍｍ２〜１００．０ｍｍ２などであってもよい。一部の実施形態では、弾性導電性接点２２２の断面積は２ｍｍ２であってもよい。各弾性導電性接点２２２の断面積は同一であってもよく、異なっていてもよい。弾性導電性接点２２２は、例えば０．１、０．２、０．３、０．４、０．５、０．６、０．７、０．８、０．９、または他の好適な値などのどのような弾性係数を有していてもよい。
【０１０１】
図６Ｃにおいて示すように、弾性導電性接点２２２の頂部と、プラグ２２０の頂部との間の上下方向（垂直方向）距離は０〜１００ｍｍであってもよい。一部の実施形態では、弾性導電性接点２２２の頂部と、プラグ２２０の頂部との間の上下方向距離は０．１ｍｍ〜１．０ｍｍ、１．１ｍｍ〜２．０ｍｍ、２．１ｍｍ〜３．０ｍｍ、３．１ｍｍ〜４．０ｍｍ、４．１ｍｍ〜５．０ｍｍ、５．１ｍｍ〜６．０ｍｍ、６．１ｍｍ〜７．０ｍｍ、７．１ｍｍ〜８．０ｍｍ、８．１ｍｍ〜９．０ｍｍ、９．１ｍｍ〜１０．０ｍｍ、１０．１ｍｍ〜２０．０ｍｍ、２０．１ｍｍ〜３０．０ｍｍ、３０．１ｍｍ〜４０．０ｍｍ、４０．１ｍｍ〜５０．０ｍｍ、５０．１ｍｍ〜６０．０ｍｍ、６０．１ｍｍ〜７０．０ｍｍ、７０．１ｍｍ〜８０．０ｍｍ、８０．１ｍｍ〜９０．０ｍｍ、または９０．１ｍｍ〜１００．０ｍｍなどであってもよい。一部の実施形態では、弾性導電性接点２２２の頂部とプラグ２２０の頂部との間の上下方向距離は１２．０ｍｍでもよい。各プラグにおける、弾性導電性接点２２２の頂部とプラグ２２０の頂部との間の上下方向距離は同じであってもよく、異なっていてもよい。
【０１０２】
図６Ｃにて示すように、３つの弾性導電性接点のうち、隣接する弾性導電性接点２２２の間の上下方向（垂直方向）距離は０〜１００ｍｍであってもよい。一部の実施形態では、３つの弾性導電性接点のうち、隣接する弾性導電性接点２２２の間の上下方向距離は０．１ｍｍ〜１．０ｍｍ、１．１ｍｍ〜２．０ｍｍ、２．１ｍｍ〜３．０ｍｍ、３．１ｍｍ〜４．０ｍｍ、４．１ｍｍ〜５．０ｍｍ、５．１ｍｍ〜６．０ｍｍ、６．１ｍｍ〜７．０ｍｍ、７．１ｍｍ〜８．０ｍｍ、８．１ｍｍ〜９．０ｍｍ、９．１ｍｍ〜１０．０ｍｍ、１０．１ｍｍ〜２０．０ｍｍ、２０．１ｍｍ〜３０．０ｍｍ、３０．１ｍｍ〜４０．０ｍｍ、４０．１ｍｍ〜５０．０ｍｍ、５０．１ｍｍ〜６０．０ｍｍ、６０．１ｍｍ〜７０．０ｍｍ、７０．１ｍｍ〜８０．０ｍｍ、８０．１ｍｍ〜９０．０ｍｍ、または９０．１ｍｍ〜１００．０ｍｍなどであってもよい。一部の実施形態では、３つの弾性導電性接点のうち、隣接する弾性導電性接点２２２の間の上下方向距離は８．５ｍｍであってもよい。各プラグにおけるに、３つの弾性導電性接点のうち、隣接する弾性導電性接点２２２の間の上下方向距離は同じであってもよく、異なっていてもよい。
【０１０３】
通常の操作における弾性導電性接点２２２の変形度は０〜１００ｍｍであってもよい。一部の実施形態では、通常の操作における弾性導電性接点２２２の変形度は０．１ｍｍ〜１．０ｍｍ、１．１ｍｍ〜２．０ｍｍ、２．１ｍｍ〜３．０ｍｍ、３．１ｍｍ〜４．０ｍｍ、４．１ｍｍ〜５．０ｍｍ、５．１ｍｍ〜６．０ｍｍ、６．１ｍｍ〜７．０ｍｍ、７．１ｍｍ〜８．０ｍｍ、８．１ｍｍ〜９．０ｍｍ、９．１ｍｍ〜１０．０ｍｍ、１０．１ｍｍ〜２０．０ｍｍ、２０．１ｍｍ〜３０．０ｍｍ、３０．１ｍｍ〜４０．０ｍｍ、４０．１ｍｍ〜５０．０ｍｍ、５０．１ｍｍ〜６０．０ｍｍ、６０．１ｍｍ〜７０．０ｍｍ、７０．１ｍｍ〜８０．０ｍｍ、８０．１ｍｍ〜９０．０ｍｍ、または９０．１ｍｍ〜１００．０ｍｍ等であってもよい。一部の実施形態では、通常の操作における弾性導電性接点２２２の変形度は０．６ｍｍでもよい。各弾性導電性接点２２２の、通常の操作における変形度は同一であってもよく、異なっていてもよい。
【０１０４】
図７Ａ〜図７Ｅに示したように、本開示の実施形態の一部に従って、ハウジングとソケット・モジュールのプラグとの状態を制御するようにバネが配設されていてもよい。図７Ａ〜７Ｃは、モバイル型吊下げソケットを示す。ソケットは、ハウジング２１０と、プラグ２２０とを備えていてもよい。プラグ２２０はハウジング２１０から吊るされていてもよい。ハウジング２１０は、前部ハウジング２１４と、後部ハウジング２１５とを含んでもよい。ハウジング２１０の少なくとも１つの面は１つ以上のプラグに接続されるように構成される複数のスロットおよび／または穴を含んでもよい。図７Ａに示すように、前部ハウジング２１４は複数のスロットおよび／または穴を含んでもよい。スロットおよび／または穴の数および形状は、図に示された数や形状に限定されない。一部の実施形態では、ハウジング２１０は２つのスロットおよび／または穴を備えていてもよい。一部の実施形態では、ハウジング２１０は３つのスロットおよび／または穴を備えていてもよい。一部の実施形態では、ハウジング２１０は５つのスロットおよび／または穴を備えていてもよい。一部の実施形態では、スロットまたは穴は円形であってもよい。一部の実施形態では、スロットまたは穴は矩形であってもよい。一部の実施形態では、プラグに接続されるように構成されたスロットおよび／または穴と、スロットおよび／または穴内の咬持導電片とは、他の電気機器と置き換えられてもよい。他の電気機器にはルータ、センサ、アラーム、検出器、カメラ、充電器、またはコンバータが含まれてもよい。一部の実施形態では、ハウジング２１０は、インテリジェント・チップを内蔵するように構成された空洞を備えていてもよい。
【０１０５】
一部の実施形態では、プラグ２２０はコネクタ２２３を備えていてもよい。図７Ａに示すように、コネクタはプラグ２２０の上部に配置されていてもよい。図７Ａのコネクタの位置は一例として示したものであり、本開示は上で述べた実施の形態に限定されない。コネクタ２２３はプラグ２２０上にどのような好適な態様で配置されていてもよい。一部の実施形態では、コネクタ２２３はプラグ２２０の中間部に配置されていてもよい。一部の実施形態では、コネクタ２２３はプラグ２２０の底部に配置されていてもよい。コネクタ２２３はバックプレート７３０を含んでもよい。バックプレート７３０は、ハウジング２１０の幅より狭い幅である限り、どのような幅で構成されてもよい。バックプレート７３０は、ハウジング２１０の高さより低い限り、どのような高さで構成されていてもよい。バックプレート７３０は、ハウジング２１０の厚みより薄い限り、どのような厚みで構成されてもよい。
【０１０６】
プラグ２２０は導電性接続片２２１を含んでもよい。導電性接続片２２１の一方の端部は弾性導電性接点２２２を形成していてもよい。導電性接続片２２１の他方の端部は咬持導電片２１２に接続（例えば電気的に接続）されてもよい。スロット７２０はハウジング２１０の後部ハウジング２１５上に配置されていてもよい。スロット７２０の寸法はコネクタ２２３の寸法に対応するものであってもよい。プラグ２２０のコネクタ２２３は、バックプレート７３０がハウジング２１０内部に位置するように、および／またはプラグ２２０がハウジング２１０の外部に位置するように、スロット７２０に差し込まれてもよい。導電性接続片２２１は導体を通じて咬持導電片２１２に接続（例えば電気的に接続）されていてもよい。上記導体は弾性導体でもよい。他の導体と接触する場合、上記弾性導体は、弾性的に変形し、弾性的圧力を生じさせることができ、それにより他の導体により確実に接続されるようになる。一部の実施形態では、上記導体は弾性銅片でもよい。上記導体は例えば銅、真鍮、リン青銅、ベリリウム銅、紫銅、赤銅、銅合金、銅−カドミウム合金、銅−ニッケル合金、スズ−銅合金などの好適な導電性物質のいずれかでできたものであってもよい。
【０１０７】
バネ７１０は、バックプレート７３０に抵抗するように、後部ハウジング２１５とバックプレート７３０との間に配置されていてもよい。ハウジング２１０は例えば１個、２個、３個、４個などのどのような数のバネを含んでいてもよい。バネ７１０はどのような好適な態様でハウジング内に配置されていてもよい。図７Ａおよび図７Ｂのバネ７１０の数および位置は一例として示したものであり、本開示は上で述べた実施の形態に限定されない。図７Ｄに示すように、機能していない状態においては、バネ７１０がバックプレート７３０に抵抗してプラグ２２０がハウジング２１０の背面に近接するようにしてもよい。図７Ｅに示すように、機能している状態では、プラグ２２０は外側に引き出されていてもよく、バネ７１０がバックプレート７３０により圧縮されて、プラグ２２０と、ハウジング２１０の背面との間に、プラグ２２０が電気の供給を受けるようにするためのスペースが確保されてもよい。
【０１０８】
プラグ２２０は、ある程度曲げられたり、ねじられたりすることが可能である。プラグ２２０はどのような角度に曲げられてもよく、例えば±１°、±２°、±３°、±４°、±５°、または他の角度に曲げられてもよい。プラグ２２０はどのような角度にねじられてもよく、例えば±１°、±２°、±３°、±４°、±５°、または他の角度にねじられてもよい。
【０１０９】
図９Ａは本開示の実施の形態の一部に係る、電源タップの一例の平面図である。図９Ｂは電源タップの一例の部分分解組立図である。
【０１１０】
図９Ａおよび図９Ｂに示すように、電源タップ９４０は差込溝９１０を備えていてもよい。電源タップ９４０は木、プラスチック、ゴム、セラミック、花こう岩などの非導電性材料でできたものであってもよい。一部の実施形態では、差込溝９１０の深さはプラグ２２０の挿入奥行よりも大きくてもよい。一部の実施形態では、差込溝９１０の深さはプラグ２２０の挿入奥行に等しくてもよいか、実質的に等しくてもよい。一部の実施形態では、差込溝９１０の深さはプラグ２２０の挿入奥行より小さくてもよい。一部の実施形態では、差込溝９１０の幅はプラグ２２０の厚みより大きくてもよい。一部の実施形態では、差込溝９１０の幅はプラグ２２０の厚みに等しくてもよいか、実質的に等しくてもよい。
【０１１１】
一部の実施形態では、電源タップ９４０は、封止され、かつ絶縁された構成部品（図示せず）を含んでもよい。封止され、かつ絶縁された構成部品により、差込溝９１０を通して電源タップ９４０の導体に人や動物が偶然に接触するのを防ぐことができる。封止され、かつ絶縁された構成部品により、差込溝９１０を通して電源タップ９４０内に水や蒸気が漏入するのを防止することができる。封止され、かつ絶縁された構成部品は、差込溝９１０の内側表面に配置されていてもよい。プラグ２２０が電源タップ９４０に差し込まれるとき、封止され、かつ絶縁された構成部品は開放されていてもよい。プラグ２２０が電源タップ９４０から引き抜かれるとき、封止され、かつ絶縁された構成部品は開放されていてもよい。一部の実施形態では、封止され、かつ絶縁された構成部品は柔軟な部品であってもよく、堅固な部品であってもよい。封止され、かつ絶縁された構成部品はゴム製のものであってもよい。
【０１１２】
図９Ａおよび図９Ｂに示すように、電源タップ９４０は、１つ以上の導体（例えば導体９２０−１、９２０−２、および９２０−３など）を含んでもよい。３つの導体は、それぞれ、活線、接地線、および中性線でもよい。一部の実施形態では、導体９２０−１、９２０−２、および／または９２０−３は中空体であってもよい。一部の実施形態では、導体９２０−１、９２０−２、および／または９２０−３は中実体であってもよい。導体９２０−１、９２０−２、および９２０−３は例えば銅、真鍮、リン青銅、ベリリウム銅、紫銅、赤銅、銅合金、銅−カドミウム合金、銅−ニッケル合金、スズ−銅合金などの好適な導電性物質でできたものであってもよい。
【０１１３】
導体９２０−１、９２０−２、および／または９２０−３の断面積は０．１ｍｍ２〜１００．０ｍｍ２であってもよい。一部の実施形態では、導体９２０−１、９２０−２、および／または９２０−３の断面積は０．１ｍｍ２〜１．０ｍｍ２、１．１ｍｍ２〜２．０ｍｍ２、２．１ｍｍ２〜３．０ｍｍ２、３．１ｍｍ２〜４．０ｍｍ２、４．１ｍｍ２〜５．０ｍｍ２、５．１ｍｍ２〜６．０ｍｍ２、６．１ｍｍ２〜７．０ｍｍ２、７．１ｍｍ２〜８．０ｍｍ２、８．１ｍｍ２〜９．０ｍｍ２、９．１ｍｍ２〜１０．０ｍｍ２、１０．１ｍｍ２〜２０．０ｍｍ２、２０．１ｍｍ２〜３０．０ｍｍ２、３０．１ｍｍ２〜４０．０ｍｍ２、４０．１ｍｍ２〜５０．０ｍｍ２、５０．１ｍｍ２〜６０．０ｍｍ２、６０．１ｍｍ２〜７０．０ｍｍ２、７０．１ｍｍ２〜８０．０ｍｍ２、８０．１ｍｍ２〜９０．０ｍｍ２、または９０．１ｍｍ２〜１００．０ｍｍ２などであってもよい。導体９２０−１、９２０−２、および／または９２０−３の断面積は５．５ｍｍ２であってもよい。
【０１１４】
図９Ａおよび９Ｂに示すように、導体９２０−３と、差込溝９１０の開口部との間の左右方向（水平方向）距離は０〜１００ｍｍであってもよい。一部の実施形態では、導体９２０−３と、差込溝９１０の開口部との間の左右方向の距離は０．１ｍｍ〜１．０ｍｍ、１．１ｍｍ〜２．０ｍｍ、２．１ｍｍ〜３．０ｍｍ、３．１ｍｍ〜４．０ｍｍ、４．１ｍｍ〜５．０ｍｍ、５．１ｍｍ〜６．０ｍｍ、６．１ｍｍ〜７．０ｍｍ、７．１ｍｍ〜８．０ｍｍ、８．１ｍｍ〜９．０ｍｍ、９．１ｍｍ〜１０．０ｍｍ、１０．１ｍｍ〜２０．０ｍｍ、２０．１ｍｍ〜３０．０ｍｍ、３０．１ｍｍ〜４０．０ｍｍ、４０．１ｍｍ〜５０．０ｍｍ、５０．１ｍｍ〜６０．０ｍｍ、６０．１ｍｍ〜７０．０ｍｍ、７０．１ｍｍ〜８０．０ｍｍ、８０．１ｍｍ〜９０．０ｍｍ、９０．１ｍｍ〜１００．０ｍｍなどであってもよい。一部の実施形態では、導体９２０−３と、差込溝９１０の開口部との間の左右方向距離は１１．０ｍｍであってもよい。各電源タップにおける、導体９２０−３と、差込溝９１０の開口部との間の左右方向距離は同一であってもよく、異なっていてもよい。
【０１１５】
図９Ａおよび９Ｂに示すように、導体９２０−１、９２０−２、および／または９２０−３のうち、隣接する導体同士の間の水平方向の距離は０〜１００ｍｍであってもよい。一部の実施形態では、導体９２０−１、９２０−２、および／または９２０−３のうち、隣接する導体同士の間の水平方向の距離は０．１ｍｍ〜１．０ｍｍ、１．１ｍｍ〜２．０ｍｍ、２．１ｍｍ〜３．０ｍｍ、３．１ｍｍ〜４．０ｍｍ、４．１ｍｍ〜５．０ｍｍ、５．１ｍｍ〜６．０ｍｍ、６．１ｍｍ〜７．０ｍｍ、７．１ｍｍ〜８．０ｍｍ、８．１ｍｍ〜９．０ｍｍ、９．１ｍｍ〜１０．０ｍｍ、１０．１ｍｍ〜２０．０ｍｍ、２０．１ｍｍ〜３０．０ｍｍ、３０．１ｍｍ〜４０．０ｍｍ、４０．１ｍｍ〜５０．０ｍｍ、５０．１ｍｍ〜６０．０ｍｍ、６０．１ｍｍ〜７０．０ｍｍ、７０．１ｍｍ〜８０．０ｍｍ、８０．１ｍｍ〜９０．０ｍｍ、または９０．１ｍｍ〜１００．０ｍｍなどであってもよい。一部の実施形態では、導体９２０−１、９２０−２、および／または９２０−３のうち、隣接する導体同士の間の水平方向の距離は８．５ｍｍでもよい。各電源タップにおける、導体９２０−１、９２０−２、および／または９２０−３のうち、隣接する導体同士の間の水平方向の距離は同一であってもよく、異なっていてもよい。
【０１１６】
導体９２０−１、９２０−２、および／または９２０−３の安全に使用できる最大許容電流は０〜１００Ａであってもよい。一部の実施形態では、導体９２０−１、９２０−２、および／または９２０−３の安全に使用できる最大許容電流は０．１Ａ〜１．０Ａ、１．１Ａ〜２．０Ａ、２．１Ａ〜３．０Ａ、３．１Ａ〜４．０Ａ、４．１Ａ〜５．０Ａ、５．１Ａ〜６．０Ａ、６．１Ａ〜７．０Ａ、７．１Ａ〜８．０Ａ、８．１Ａ〜９．０Ａ、９．１Ａ〜１０．０Ａ、１０．１Ａ〜２０．０Ａ、２０．１Ａ〜３０．０Ａ、３０．１Ａ〜４０．０Ａ、４０．１Ａ〜５０．０Ａ、５０．１Ａ〜６０．０Ａ、６０．１Ａ〜７０．０Ａ、７０．１Ａ〜８０．０Ａ、８０．１Ａ〜９０．０Ａ、または９０．１Ａ〜１００．０Ａなどであってもよい。一部の実施形態では、導体９２０−１、９２０−２、および／または９２０−３の安全に使用できる最大許容電流は４０Ａであってもよい。各導体９２０−１、９２０−２、および／または９２０−３の安全に使用できる最大許容電流は同一であってもよく、異なっていてもよい。
【０１１７】
導体９２０−１、９２０−２、および／または９２０−３の安全に使用できる最大許容電圧は０〜１００００Ｖであってもよい。導体９２０−１、９２０−２、および／または９２０−３の安全に使用できる最大許容電圧は１０Ｖ〜１００Ｖ、１１０Ｖ〜２００Ｖ、２１０Ｖ〜３００Ｖ、３１０Ｖ〜４００Ｖ、４１０Ｖ〜５００Ｖ、５１０Ｖ〜６００Ｖ、６１０Ｖ〜７００Ｖ、７１０Ｖ〜８００Ｖ、８１０Ｖ〜９００Ｖ、９１０Ｖ〜１０００Ｖ、１０１０Ｖ〜２０００Ｖ、２０１０Ｖ〜３０００Ｖ、３０１０Ｖ〜４０００Ｖ、４０１０Ｖ〜５０００Ｖ、５０１０Ｖ〜６０００Ｖ、６０１０Ｖ〜７０００Ｖ、７０１０Ｖ〜８０００Ｖ、８０１０Ｖ〜９０００Ｖ、または９０１０Ｖ〜１０００Ｖなどであってもよい。一部の実施形態では、導体９２０−１、９２０−２、および／または９２０−３の安全に使用できる最大許容電圧は５０００Ｖであってもよい。各導体９２０−１、９２０−２、および／または９２０−３の安全に使用できる最大許容電圧は同一であってもよく、異なっていてもよい。
【０１１８】
弾性導電性接点２２２と、導体９２０−１、９２０−２、および／または９２０−３との間の接触面積は０．１ｍｍ２〜１００．０ｍｍ２であってもよい。弾性導電性接点２２２と、導体９２０−１、９２０−２、および／または９２０−３との間の接触面積は０．１ｍｍ２〜１００．０ｍｍ２であってもよい。弾性導電性接点２２２と導体９２０−１、９２０−２、および／または９２０−３との間の接触面積は、０．１ｍｍ２〜１．０ｍｍ２、１．１ｍｍ２〜２．０ｍｍ２、２．１ｍｍ２〜３．０ｍｍ２、３．１ｍｍ２〜４．０ｍｍ２、４．１ｍｍ２〜５．０ｍｍ２、５．１ｍｍ２〜６．０ｍｍ２、６．１ｍｍ２〜７．０ｍｍ２、７．１ｍｍ２〜８．０ｍｍ２、８．１ｍｍ２〜９．０ｍｍ２、９．１ｍｍ２〜１０．０ｍｍ２、１０．１ｍｍ２〜２０．０ｍｍ２、２０．１ｍｍ２〜３０．０ｍｍ２、３０．１ｍｍ２〜４０．０ｍｍ２、４０．１ｍｍ２〜５０．０ｍｍ２、５０．１ｍｍ２〜６０．０ｍｍ２、６０．１ｍｍ２〜７０．０ｍｍ２、７０．１ｍｍ２〜８０．０ｍｍ２、８０．１ｍｍ２〜９０．０ｍｍ２、または９０．１ｍｍ２〜１００．０ｍｍ２などであってもよい。一部の実施形態では、弾性導電性接点２２２と、導体９２０−１、９２０−２、および／または９２０−３との間の接触面積は２ｍｍ２より大きくてもよい。各弾性導電性接点２２２と、導体９２０−１、９２０−２、および／または９２０−３との間の接触面積は同一であってもよく、異なっていてもよい。
【０１１９】
機能している状態における弾性導電性接点２２２の、導体９２０−１、９２０−２、および／または９２０−３上への圧力は０〜１００Ｎでもよい。一部の実施形態では、機能している状態における弾性導電性接点２２２の、導体９２０−１、９２０−２、および／または９２０−３上への圧力は０．１Ｎ〜１．０Ｎ、１．１Ｎ〜２．０Ｎ、２．１Ｎ〜３．０Ｎ、３．１Ｎ〜４．０Ｎ、４．１Ｎ〜５．０Ｎ、５．１Ｎ〜６．０Ｎ、６．１Ｎ〜７．０Ｎ、７．１Ｎ〜８．０Ｎ、８．１Ｎ〜９．０Ｎ、９．１Ｎ〜１０．０Ｎ、１０．１Ｎ〜２０．０Ｎ、２０．１Ｎ〜３０．０Ｎ、３０．１Ｎ〜４０．０Ｎ、４０．１Ｎ〜５０．０Ｎ、５０．１Ｎ〜６０．０Ｎ、６０．１Ｎ〜７０．０Ｎ、７０．１Ｎ〜８０．０Ｎ、８０．１Ｎ〜９０．０Ｎ、または９０．１Ｎ〜１００．０Ｎなどであってもよい。一部の実施形態では、機能している状態における弾性導電性接点２２２の、導体９２０−１、９２０−２、および／または９２０−３上への圧力は７．５Ｎでもよい。機能している状態における各弾性導電性接点２２２の、導体９２０−１、９２０−２、および／または９２０−３上への圧力は同一であってもよく、異なっていてもよい。
【０１２０】
電源タップシステム１２０は３本の導体溝を含んでもよい。３つの導体が導体溝に配置されていてもよい。活線、接地線、および中性線はどのような好適な方法でも配置されていてもよい。一部の実施形態では、導体９２０−１は活線でもよい。一部の実施形態では、導体９２０−２は活線でもよい。一部の実施形態では、導体９２０−３は活線でもよい。図９Ｂにおける３つの導体は、差込溝９１０の同じ面に配置されていてもよい。一部の実施形態では、上記３つの導体は差込溝９１０の異なる面に配置されていてもよい。一部の実施形態では、上記３つの導体のうちいずれか２つは差込溝９１０の同じ面に配置されていてもよく、他のもう１つは差込溝９１０の他の面に配置されていてもよい。一部の実施形態では、上記３つの導体のうちいずれか２つは差込溝９１０の２つの面にそれぞれ配置されていてもよく、他のもう１つは差込溝９１０の底部に配置されていてもよい。なお図９Ｂの電源タップにおける導体の数および位置は一例として示したものであり、本開示は上で述べた実施の形態に限定されない点には留意されたい。一部の実施形態では、電源タップ９４０は、それぞれ、活線と中性線とである２つの導体を含んでいてもよい。一部の実施形態では、上記導体は差込溝９１０の同じ面に配置されていてもよい。一部の実施形態では、２つの導体は差込溝９１０の異なる面に配置されていてもよい。一部の実施形態では、１つの導体は差込溝９１０のいずれかの面に配置されていてもよく、その他の導体は差込溝９１０の底部に配置されていてもよい。
【０１２１】
図９Ｂに示すように、電源タップ９４０は複数の空洞９３０を含んでいてもよい。一部の実施形態では、活線、接地線、および中性線は上記空洞内に配置されていてもよい。活線、接地線、および中性線は同じ空洞内に配置されていてもよく、異なる空洞内に配置されていてもよい。空洞９３０は、別の用途を有していてもよい。電源タップ９４０は、どのような好適な数（例えば１、２、３、４など）の空洞を有していてもよい。空洞９３０の長さおよび電源タップ９４０の長さは、同一であってもよく、異なっていてもよい。空洞９３０の断面はどのような規則的な形状、または不規則な形状に形成されていてもよい。上記規則的な形状には円形、三角形、四辺形、五角形、六角形、または他のいずれかの規則的な形状が含まれてもよい。各空洞９３０の断面積は同一であってもよく、異なっていてもよい。
【０１２２】
一部の実施形態では、電源タップ９４０の差込溝９１０は、防塵され、かつ絶縁された部分を含んでもよい。防塵され、かつ絶縁された部分により、塵や水蒸気が落ちて電源タップ内に入り込むのを防ぐことができる。防塵および絶縁された部分はゴム片であってもよい。
【０１２３】
なお電源タップに関する上記説明は一例として示したものであり、本開示は上で述べた実施の形態に限定されない点には留意されたい。位置の多数の他の変更、置換、バリエーション、代替、および改変は、導体の設定原理を理解した後、当業者に確かめられてもよいことは理解することができる。一部の実施形態では、電源タップは中実であってもよく、空洞を含んでいなくてもよい。そのような変更、置換、バリエーション、代替、および改変は、本開示の範囲内に属する。
【０１２４】
図１０Ａおよび１０Ｂは、本開示の実施の形態の一部に係る、機能した状態におけるソケット・モジュール１１０および電源タップシステム１２０の例の正面図および側面図である。ソケット・モジュール１１０はハウジング２１０とプラグ２２０とを含んでもよい。電源タップシステム１２０はソケット・モジュール１１０と互換性を持ってもよい。電源タップシステム１２０は、壁または他の固定された物（例えば家具）の表面に設置されていてもよい。従来の配線の方法と比較して、上述の配線の方法は、装飾の複雑さを大きく減少させ、設置を容易にすることができる。電源タップシステム１２０は、その頂面上に差込溝９１０を含んでいてもよい。活線１３０、中性線１４０、および接地線１５０は、電源タップ内に配置されて、プラグ２２０に接続（例えば電気的に接続）されるようにしてもよい。プラグ２２０が電源タップ９４０の差込溝９１０に差し込まれたときに、ソケット・モジュール１１０が通電されてもよい。差込溝９１０は、プラグ２２０の寸法および形状に対応するように好適な寸法および形状に形成されていてもよい。一部の実施形態では、プラグ２２０が電源タップ１２０に接続（例えば電気的に接続）されると、表示灯が導電性接続片に接続（例えば電気的に接続）され、ソケット・モジュール１１０が通電されていることを示すために点灯してもよい。ソケット・モジュール１１０が電源タップシステム１２０に接続されていないか、または接続がうまく行われていない場合に、ソケット・モジュール１１０の表示灯を点灯させないことでソケット・モジュール１１０が通電されていないことを示してもよい。
【０１２５】
一部の実施形態では、電源タップ９４０の差込溝９１０は３つの導体、すなわち活線、接地線、および中性線を備えていてもよい。上記導体は剛性を有する導体でもよい。ソケット・モジュール１１０が電源タップに差し込まれると、プラグ２２０の表面上の弾性導電性接点２２２が上記３つの剛性を有する導体に接続（例えば電気的に接続）されてもよい。一部の実施形態では、弾性導電性接点２２２はプラグ２２０の同じ表面に配置されていてもよく、３つの剛性を有する導体にそれぞれ接続されていてもよい。弾性導電性接点２２２は、それらが互いにより密接に接続され、ソケットが安定で、確実に通電されるように、剛性を有する導体によりきつく締め付けられていてもよい。また同時に、上記３つの導体は変形できなくなり、他のモバイルソケットの運用に影響を及ぼさなくなる。一部の実施形態では、弾性導電性接点２２２はプラグ２２０の同じ表面に配置されていなくてもよい。
【０１２６】
図１１Ａは本開示の実施の形態の一部に係る、ソケット・モジュールの一例の側面図である。図１１Ｂは、本開示の実施の形態の一部に係る、機能している状態におけるソケット・モジュールおよび電源タップの側面図である。ソケット・モジュール１１０はプラグ２２０とハウジング２１０とを備えていてもよい。プラグ２２０はハウジング２１０の外側表面に対して垂直に配置されていてもよい。導電性接続片２２１の一方の端部はハウジング２１０内に配置されていてもよく、またソケット・コア２１１および表示灯２１３に接続（例えば電気的に接続）されていてもよい。導電性接続片２２１の他方の端部はプラグ２２０内部にまで延長されて、プラグ２２０の表面の上に弾性導電性接点２２２を形成してもよい。電源タップ９４０は、その頂面上に差込溝９１０を備えていてもよい。プラグ２２０が電源タップ９４０の差込溝９１０に差し込まれたとき、ソケット・モジュール１１０は通電されてもよい。プラグ２２０が電源タップ９４０に接続（例えば電気的に接続）されると、表示灯が導電性接続片に接続（例えば電気的に接続）され、ソケット・モジュール１１０が通電されていることを示すために点灯してもよい。プラグ２２０が電源タップ９４０に接続されていないか、または接続がうまく行われていない場合に、ソケット・モジュール１１０の表示灯を点灯させないことでソケット・モジュール１１０が通電されていないことを示してもよい。
【０１２７】
図１２は、本開示の実施の形態の一部に係る電源タップシステムの一例を示す。電源タップシステムは１つ以上の電源タップ９４０および１つ以上のストリップ・コネクタ１２０３を含んでもよい。一部の実施形態では、電源タップ９４０は特定の方向に沿って延在していてもよい。電源タップ９４０がその方向において物体と遭遇したときに、ストリップ・コネクタ１２０３はその物体を迂回して、その物体の両側にある電源タップ９４０の間の接続を確立してもよい。一部の実施形態では、上記物体の例としては、ホールの中央にある支柱、壁から突出した柱などが挙げられる。ストリップ・コネクタ１２０３は、正方形の物体（例えば「Π」型の障害物）や、円形、円弧状の物体、湾曲した物体、および他のいずれかの物体を回避してもよい。ストリップ・コネクタ１２０３の、対応する断面形状には、正方形、円弧状の形状、湾曲形状などが含まれてもよい。
【０１２８】
一部の実施形態では、ストリップ・コネクタ１２０３は接続ジョイント１２０５および接続インターフェース１２０７を備えていてもよい。接続ジョイント１２０５は第１の導体１２０９を備えていてもよい。接続インターフェース１２０７は第２の導体１２１１を備えていてもよい。第１の導体１２０９は接続ジョイント１２０５から突出していてもよく、また第２の導体１２１１は接続インターフェース１２０７内に配置されていてもよい。第１の導体１２０９の形状は、矩形、筒状、または球体などの形状であってもよい。第２の導体１２１１の形状は、矩形、筒状、または球体などの形状であってもよい。一部の実施形態では、第１の導体１２０９は導体棒でもよく、そして、第２の導体１２１１は導体管でもよい。
【０１２９】
一部の実施形態では、第１の導体１２０９および第２の導体１２１１の断面積は、る０．１ｍｍ２〜１００．０ｍｍ２であってもよい。一部の実施形態では、導体の断面積は０．１ｍｍ２〜１．０ｍｍ２、１．１ｍｍ２〜２．０ｍｍ２、２．１ｍｍ２〜３．０ｍｍ２、３．１ｍｍ２〜４．０ｍｍ２、４．１ｍｍ２〜５．０ｍｍ２、５．１ｍｍ２〜６．０ｍｍ２、６．１ｍｍ２〜７．０ｍｍ２、７．１ｍｍ２〜８．０ｍｍ２、８．１ｍｍ２〜９．０ｍｍ２、９．１ｍｍ２〜１０．０ｍｍ２、１０．１ｍｍ２〜２０．０ｍｍ２、２０．１ｍｍ２〜３０．０ｍｍ２、３０．１ｍｍ２〜４０．０ｍｍ２、４０．１ｍｍ２〜５０．０ｍｍ２、５０．１ｍｍ２〜６０．０ｍｍ２、６０．１ｍｍ２〜７０．０ｍｍ２、７０．１ｍｍ２〜８０．０ｍｍ２、８０．１ｍｍ２〜９０．０ｍｍ２、または９０．１ｍｍ２〜１００．０ｍｍ２などであってもよい。一部の実施形態では、第１の導体１２０９および第２の導体１２１１の断面積は５．５ｍｍ２であってもよい。
【０１３０】
一部の実施形態では、第１の導体１２０９の形状および第２の導体１２１１の形状は、第１の導体１２０９が第２の導体１２１１に差し込み可能となるように、互いに適合するように構成されていてもよい。第１の導体１２０９が第２の導体１２１１に差し込まれると、接続ジョイント１２０５と接続インターフェース１２０７とが電気的に接続されてもよい。一部の実施形態では、第２の導体１２１１は接続インターフェース１２０７から突出していてもよく、第１の導体１２０９は接続ジョイント１２０５内に配置されていてもよい。第２の導体１２１１は、第１の導体１２０９に差し込まれていてもよい。
【０１３１】
一部の実施形態では、第１の導体１２０９は弾性を有していてもよい。第１の導体１２０９は、それが機能しない状態においては、接続ジョイント１２０５によって反応してもよい。一部の実施形態では、第１の導体１２０９は、それが機能している状態においては、接続ジョイントから延出していてもよい。機能している状態（機能状態）とは、トリップ・コネクタ１２０３が、物体の両側にある電源タップを接続するのに用いられている状態のことをいう。機能してない状態（非機能状態）とは、トリップ・コネクタ１２０３が、物体の両側にある電源タップを接続するのに用いられていない状態のことをいう。
【０１３２】
一部の実施形態では、第１の導体１２０９および第２の導体１２１１はどのような導電性物質でできたものであってもよい。上記導電性物質には金属、合金などが含まれる。上記金属には銅、アルミニウム、金などが含まれる。例えば第１の導体１２０９および第２の導体１２１１は、銅でできたものであってもよい。一部の実施形態では、第１の導体１２０９および第２の導体１２１１は、溶接、一体成型、および／または他のいずれかの適切な製造プロセス、および／または製造プロセスの組合せにより製造することができる。
【０１３３】
一部の実施形態では、接続ジョイント１２０５は第１のバックル１２１３と、第１のストリップ・コネクタ１２１５とを備えていてもよい。第１のバックル１２１３および第１のストリップ・コネクタ１２１５は、溶接、一体成型、および／または他のいずれかの適切な製造プロセス、および／または製造プロセスの組合せにより製造することができる。第１の導体１２０９は、第１のバックル１２１３の一方の端部に配置されていてもよい。第１のストリップ・コネクタ１２１５は、第１のバックル１２１３の他端を接続してもよい。
【０１３４】
一部の実施形態では、第１のストリップ・コネクタ１２１５と第１のバックル１２１３との間の接続は、垂直接続であってもよく、鋭角接続であってもよく、直角接続であってもよい。直角接続とは、第１のバックル１２１３と第１のストリップ・コネクタ１２１５とが互いに垂直であることをいう。例えば図１２に示すように、第１のストリップ・コネクタ１２１５と第１のバックル１２１３とは、互いに垂直に接続されている。
【０１３５】
一部の実施形態では、第３の導体１２１７は、第１のストリップ・コネクタ１２１５の一方の端に配置されていてもよい。第３の導体１２１７は第１のストリップ・コネクタ１２１５から突出していてもよい。第３の導体１２１７は弾性を有していてもよい。第３の導体１２１７が機能しない状態において、第３の導体１２１７は第１のストリップ・コネクタ１２１５内に引き込まれていて（退避していて（挿入されていて））もよい。第３の導体１２１７が機能している状態において、第３の導体１２１７は第１のストリップ・コネクタ１２１５から延出していてもよい。
【０１３６】
一部の実施形態では、第３の導体１２１７は、例えば金属、合金などのいずれかの導電性物質でできていてもよい。上記金属には銅、アルミニウム、金などが含まれる。例えば第３の導体１２１７は銅製の棒でもよい。第３の導体１２１７の形状は、矩形、筒状、または球体などの形状であってもよい。一部の実施形態では、第３の導体１２１７の数は電源タップ９４０における導体の数より多いか、等しくてもよい。機能している状態において、第３の導体１２１７のうち１つ以上の銅製の棒が対応する中空導体内に挿入され、接続ジョイント１２０５と電源タップ９４０との間の電気的な接続を確立してもよい。
【０１３７】
一部の実施形態では、接続インターフェース１２０７は、第２のバックル１２１９と第２のストリップ・コネクタ１２２１とを備えていてもよい。第２のバックル１２１９および第２のストリップ・コネクタ１２２１は溶接、一体成型、メカニカルスプライシング、および／または他のいずれかの適切な製造プロセス、および／または製造プロセスの組合せにより製造することができる。第２の導体１２１１は第２のバックル１２１９の一方の端部に配置されていてもよい。第２のストリップ・コネクタ１２２１は、第２のバックル１２１９の他端を接続してもよい。
【０１３８】
一部の実施形態では、第２のストリップ・コネクタ１２２１と第２のバックル１２１９との間の接続は、垂直接続であってもよく、鋭角接続であってもよく、直角接続であってもよい。直角接続とは、第２のバックル１２１９と第２のストリップ・コネクタ１２２１とが互いに垂直であることをいう。例えば図１２に示すように、第２のストリップ・コネクタ１２２１と第２のバックル１２１９とは、互いに垂直に接続されている。
【０１３９】
一部の実施形態では、接続ハウジング１２２３は第２のストリップ・コネクタ１２２１の一方の面に配置されていてもよい。接続ハウジング１２２３の形状は電源タップ９４０の形状と適合するように構成することができる。接続ハウジング１２２３は空洞を含んでもよい。第４の導体（図示せず）が空洞に配置され、電源タップ９４０内の導体と接続（例えば電気的に接続）されてもよい。そのようにして、第２のストリップ・コネクタ１２２１は、接続ハウジング１２２３を通じて電源タップ９４０に接続（例えば電気的に接続）されていてもよい。第２のストリップ・コネクタ１２２１および接続ハウジング１２２３は、溶接、一体成型、メカニカルスプライシング、および／または他のいずれかの適切な製造プロセス、および／または製造プロセスの組合せにより製造することができる。
【０１４０】
図１３Ａは本開示の実施の形態の一部に係る接続ジョイント１２０５の一例の平面図である。接続ジョイント１２０５に関する上記説明に関わらず、１つ以上のコネクタ１３０１が第１の導体１２０９と第３の導体１２１７との間に配置されていてもよい。一部の実施形態では、コネクタ１３０１は（図１３Ａに示すような）ランタン（提灯）形のコネクタでもよい。コネクタ１３０１の直径は第１の導体１２０９の端部の直径より大きくてもよく、または電源タップ９４０の中空導体の内径より大きくてもよい。コネクタ１３０１はどのような導電性物質でできたものであってもよい。コネクタ１３０１と、第１の導体１２０９の端部とは、同一の材料でできたものであってもよく、異なる材料でできたものであってもよい。
【０１４１】
一部の実施形態では、コネクタ１３０１の表面は弾性を有していてもよい。接続ジョイント１２０５および電源タップ９４０が接続されると、第３の導体１２１７の端部が電源タップ９４０内の中空導体内にまず挿入され、次にコネクタ１３０１が電源タップ９４０の中空電線内に挿入されていてもよい。コネクタ１３０１は、きつく締め付けられてもよく、弾性的に変形してもよく、また電源タップ９４０の中空導体内に、完全に、または不完全に挿入されてもよい。
【０１４２】
図１３Ｂは本開示の実施の形態の一部に係る、接続インターフェース１２０７の一例の平面図である。上述したように、一部の実施形態では、接続インターフェース１２０７は、第２のバックル１２１９と、第２のストリップ・コネクタ１２２１とを備えていてもよい。接続ハウジング１２２３は第２のストリップ・コネクタ１２２１の一方の面に配置されていてもよい。第２のストリップ・コネクタ１２２１は接続ハウジング１２２３を電通じて電源タップ９４０に電気的に接続されていてもよい。
【０１４３】
図１４は本開示の実施の形態の一部に係る電源タップシステムの一例を示す。電源タップシステムは、１つ以上のストリップ・コネクタ１２０３と、１つ以上の電源タップ９４０とを含んでもよい。一部の実施形態では、ストリップ・コネクタ１２０３は物体を迂回して、その物体の両側にある電源タップ９４０の間の接続を確立してもよい。ストリップ・コネクタ１２０３は、接続ジョイント１２０５と、接続インターフェース１２０７とを備えていてもよい。ストリップ・コネクタ１２０３は、「Π」の形状の構造により障害物１４０３を迂回することができる。
【０１４４】
図１５は本開示の実施の形態の一部に係るリニアタイプ電源タップシステムの一例の図である。リニアタイプ電源タップは、１つ以上の電源タップ９４０と、１つ以上のストリップ・コネクタ１５０３とを含んでもよい。一部の実施形態では、電源タップ９４０の長さは１ｍから１０ｍの間であってもよい。一部の実施形態では、電源タップ９４０の長さは１ｍから５ｍの間であってもよい。一部の実施形態では、電源タップ９４０の長さは１ｍから３ｍの間であってもよい。
【０１４５】
一部の実施形態では、電源タップ９４０は部屋の縁に沿って配置されてもよい。部屋の縁の長さは、１つ以上の電源タップ９４０の長さより長くてもよい。そのようにして、複数の電源タップ９４０は、縁に沿って配置されることが必要とされてもよい。一部の実施形態では、ストリップ・コネクタ１５０３は２つの隣接する電源タップ９４０を接続して、それらの間の電気的接続を確立してもよい。
【０１４６】
一部の実施形態では、ストリップ・コネクタ１５０３は１つ以上の導体１５０５を備えていてもよい。導体１５０５の数は電源タップ９４０内の導体の数以下であってもよい。１つ以上のコネクタ１５０７は導体１５０５の中間の部分に配置されていてもよい。一部の実施形態では、コネクタ１５０７はランタン（提灯）形のコネクタであってもよい。コネクタ１５０７によって、ストリップ・コネクタ１５０３と電源タップ９４０との間の接続を緊密にすることができる。
【０１４７】
図１６Ａは入隅用電源タップシステムの平面図である。入隅用電源タップシステムは、１つ以上の電源タップ９４０と、１つ以上の入隅用ストリップ・コネクタ１６０３とを備えていてもよい。一部の実施形態では、入隅とは、壁の凹んだ部分、例えば部屋の２枚の壁が内向きに接することでできる角の部分ことをいう。一部の実施形態では、部屋のある壁の縁に沿って長手方向に伸びる電源タップ９４０は、入隅に遭遇することがあり、他の壁の縁に配置された他の電源タップ９４０に接続することが必要とされる場合がある。入隅用ストリップ・コネクタ１６０３は、２つの電源タップ９４０を接続するように構成することができる。
【０１４８】
一部の実施形態では、入隅用ストリップ・コネクタ１６０３は１つ以上の第１の導体１６０５および１つ以上の第２の導体１６０７を含んでもよい。第１の導体１６０５の数および第２の導体１６０７の数は、電源タップ９４０の導体の数以下でもよい。第１の導体１６０５の数と第２の導体１６０７の数は同一であってもよく、異なっていてもよい。複数の第１の導体１６０５および第２の導体１６０７は、上下方向の線に沿ってそれぞれ配置されていてもよい。したがって、図１６Ａの平面図には第１の導体１６０５が１つのみと、第２の導体１６０７が１つのみあってもよい。
【０１４９】
一部の実施形態では、入隅用ストリップ・コネクタ１６０３は直方体、立方体、または湾曲形状を有するものであってもよい。第１の導体１６０５および第２の導体１６０７は、入隅用ストリップ・コネクタ１６０３の２つの隣接する面から延出していてもよい。第１の導体１６０５と第２の導体１６０７とは互いに垂直であってもよい。１つ以上のコネクタ１６０９が第１の導体１６０５と、第２の導体１６０７との中間の部分に配置されていてもよい。コネクタ１６０９によって、入隅用ストリップ・コネクタ１６０３と電源タップ９４０との間の接続を緊密にすることができる。
【０１５０】
図１６Ｂは出隅用電源タップシステム１６２０の平面図である。出隅用電源タップ１６２０は１つ以上の電源タップ９４０と、１つ以上の出隅用ストリップ・コネクタ１６１１とを備えていてもよい。一部の実施形態では、出隅とは、壁の突出した部分、例えば室内の通路の方向転換地点の角の部分のことをいう。出隅用ストリップ・コネクタ１６１１が隣接する電源タップ９４０を接続する様式は、入隅用コネクタの場合と同様である。
【０１５１】
多くの変形例、改変、およびバリエーションは、当業者にとって明らかである。例えば上述の様々な構成要素の実施がハードウェアデバイスで具体化されていたとしても、その構成要素は、たとえば既存のサーバやモバイル機器へのインストールにより、ソフトウェアのみのソリューションとして実施することもできる。また位置情報を提供することは、ファームウェア装置、ファームウェア装置とソフトウェア装置との組合せ、ファームウェア装置とハードウェアデバイスとの組合せ、またはファームウェア装置と、ハードウェアデバイスと、ソフトウェア装置との組合せで具体化することもできる。
【０１５２】
開示および／または様々な実施例を上に示した。上記説明に従って、様々な変更を行うことができる。特許請求の範囲に記載された内容は、様々な方法および実施の形態により実現することができ、また様々なアプリケーションにおいて実現することもできる。添付の特許請求の範囲およびその他の変更、改良、および改変によって示唆される全ての適用例は本開示の範囲内に属する。
【符号の説明】
【０１５３】
１００  電源コンセントシステム
１１０  ソケット・モジュール
１２０  電源タップシステム
１３０  活線
１４０  中性線
１５０  接地線
２１０  ハウジング
２１１  ソケット・コア
２１２  咬持導電片
２１３  表示灯
２１４  前部ハウジング
２１５  後部ハウジング
２２０  プラグ
２２１  導電性接続片
２２２  弾性導電性接点
２２３  コネクタ
２３３  コネクタ
３１０  ブロック
３２０  スロット
３３０  引掛溝
６１０  接続溝
６１０  内側接点
６１１  内側接点
６２０  退避溝
６３０  外側接点
７１０  バネ
７２０  スロット
７３０  バックプレート
９１０  差込溝
９２０  導体
９３０  空洞
９４０  電源タップ
１２０３  ストリップ・コネクタ
１２０５  接続ジョイント
１２０７  接続インターフェース
１２０９  第１の導体
１２１１  第２の導体
１２１３  第１のバックル
１２１５  ストリップ・コネクタ
１２１７  第３の導体
１２１９  第２のバックル
１２２１  ストリップ・コネクタ
１２２３  接続ハウジング
１３０１  コネクタ
１４０３  障害物
１５０３  ストリップ・コネクタ
１５０５  導体
１５０７  コネクタ
１６０３  入隅用ストリップ・コネクタ
１６０５  第１の導体
１６０７  第２の導体
１６０９  コネクタ
１６１１  出隅用ストリップ・コネクタ
【図１Ａ】
2018528579.tif 000003
【図１Ｂ】
2018528579.tif 000004
【図２】
2018528579.tif 000005
【図３Ａ】
2018528579.tif 000006
【図３Ｂ】
2018528579.tif 000007
【図３Ｃ】
2018528579.tif 000008
【図４Ａ】
2018528579.tif 000009
【図４Ｂ】
2018528579.tif 000010
【図４Ｃ】
2018528579.tif 000011
【図５】
2018528579.tif 000012
【図６Ａ】
2018528579.tif 000013
【図６Ｂ】
2018528579.tif 000014
【図６Ｃ】
2018528579.tif 000015
【図６Ｄ】
2018528579.tif 000016
【図６Ｅ】
2018528579.tif 000017
【図７Ａ】
2018528579.tif 000018
【図７Ｂ】
2018528579.tif 000019
【図７Ｃ】
2018528579.tif 000020
【図７Ｄ】
2018528579.tif 000021
【図７Ｅ】
2018528579.tif 000022
【図８Ａ】
2018528579.tif 000023
【図８Ｂ】
2018528579.tif 000024
【図９Ａ】
2018528579.tif 000025
【図９Ｂ】
2018528579.tif 000026
【図１０Ａ】
2018528579.tif 000027
【図１０Ｂ】
2018528579.tif 000028
【図１１Ａ】
2018528579.tif 000029
【図１１Ｂ】
2018528579.tif 000030
【図１２】
2018528579.tif 000031
【図１３Ａ】
2018528579.tif 000032
【図１３Ｂ】
2018528579.tif 000033
【図１４】
2018528579.tif 000034
【図１５】
2018528579.tif 000035
【図１６Ａ】
2018528579.tif 000036
【図１６Ｂ】
2018528579.tif 000037
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
ハウジングと、
プラグと、を備え、
前記ハウジングの少なくとも１つの面に配置される、少なくとも１つのスロットまたは穴と、
前記ハウジング内に配置される咬持導電片と、
前記プラグの表面に配置される少なくとも２つの弾性導電性接点と、を含み、
前記弾性導電性接点は、電源に接続されるように構成され、
前記プラグは前記ハウジングの外に配置される、
ソケット。
【請求項２】
前記ハウジングの背面に配置される接続溝と、
前記接続溝内に配置される内側接点と、
前記プラグ内に配置されるコネクタと、
前記コネクタ上に配置される外側接点と、をさらに含み、
前記内側接点は前記咬持導電片に接続され、前記外側接点は前記弾性導電性接点に接続され、前記コネクタは前記接続溝に差し込まれるように構成される、
請求項１に記載のソケット。
【請求項３】
前記プラグの頂部上に配置されるコネクタと、
前記コネクタの背面側端部に配置されるバックプレートと、
前記ハウジングの背面に配置されるスロットと、をさらに含み、
前記コネクタは、前記スロットに差し込まれると、前記バックプレートが前記ハウジング内に、前記プラグが前記ハウジング外に位置するように構成され、
前記弾性導電性接点は前記咬持導電片に接続されるように構成される、
請求項１に記載のソケット。
【請求項４】
前記プラグは接続導体片を含み、
前記接続導体片の第１の端部は弾性導電性接点を形成し、
前記接続導体片の第２の端部は前記咬持導電片に接続される、
請求項１に記載のソケット。
【請求項５】
前記弾性導電性接点の表面は、円形状または正方形状に形成されている、
請求項１に記載のソケット。
【請求項６】
前記ハウジングがポリ塩化ビニル（ＰＶＣ）でできたものである、
請求項１に記載のソケット。
【請求項７】
前記プラグがポリアミド６６（ＰＡ６６）と３０％のガラス繊維との混合物でできたものである、
請求項１に記載のソケット。
【請求項８】
前記弾性導電性接点の断面積が１．０ｍｍ２〜３．０ｍｍ２の範囲内にある、
請求項１に記載のソケット。
【請求項９】
ソケット、電源タップシステムと、を備え、
前記ソケットは、ハウジングと、プラグとを含み、
前記ハウジングの少なくとも１つの面に少なくとも１つのスロットまたは穴が配置され、
前記ハウジング内に咬持導電片が配置され、
前記プラグの表面に少なくとも２つの弾性導電性接点が配置され、
前記弾性導電性接点は、電源に接続されるように構成され、
前記プラグは前記ハウジングの外に配置され、
前記電源タップシステムは、電源タップを含み、
前記電源タップは少なくとも２つの導体を含み、
前記プラグが前記電源タップに差し込まれるように構成されている場合において、前記導体は前記弾性導電性接点に接続される、
電源コンセントシステム。
【請求項１０】
ストリップ・コネクタをさらに含み、
前記ストリップ・コネクタは、２つ以上のコンセント差込口の間の接続を確立する、
請求項９に記載の電源コンセントシステム。
【請求項１１】
前記ストリップ・コネクタは、接続ジョイントと、接続インターフェースとを含む、
請求項１０に記載の電源コンセントシステム。
【請求項１２】
前記接続ジョイントは第１の導体を含み、
前記接続インターフェースは前記第１の導体と適合する第２の導体を含む、
請求項１１に記載の電源コンセントシステム。
【請求項１３】
前記第１の導体は導体棒であり、前記第２の導体は導体管であることを特徴とする
請求項１２に記載の電源コンセントシステム。
【請求項１４】
前記接続ジョイントは第１のバックルと、第１のストリップ・コネクタとを含み、
前記第１のバックルと前記第１のストリップ・コネクタとは垂直に接続される、
請求項１１に記載の電源コンセントシステム。
【請求項１５】
前記第１のストリップ・コネクタが第３の導体を介して前記電源タップに接続される、
請求項１４に記載の電源コンセントシステム。
【請求項１６】
前記第３の導体が導体棒である、請求項１５に記載の電源コンセントシステム。
【請求項１７】
前記接続インターフェースは、第２のバックルと、第２のストリップ・コネクタとを含み、
前記第２のストリップ・コネクタは、前記第２のバックルの第１の端部に配置されており、
前記第２のバックルと前記第２のストリップ・コネクタとは垂直に接続される、
請求項１１に記載の電源コンセントシステム。
【請求項１８】
前記第２のストリップ・コネクタの前記第１の端部は、空洞を含み、
前記空洞内に前記電源タップに接続されるように構成された第４の導体が配置されており、
前記第２のストリップ・コネクタが前記空洞を介して前記電源タップに接続される、
請求項１７に記載の電源コンセントシステム。
【請求項１９】
前記第４の導体が導体棒である、
請求項１８に記載の電源コンセントシステム。
【請求項２０】
前記導体の断面積が５．０ｍｍ２〜７．０ｍｍ２の範囲内にある、
請求項９記載の電源コンセントシステム。
【国際調査報告】
2018528579.tif 000038
2018528579.tif 000039
2018528579.tif 000040
2018528579.tif 000041
2018528579.tif 000042
2018528579.tif 000043